(57)【要約】      （修正有）【課題】内部セル格子を有するゴルフクラブフェースプレートおよびそれに関連する方法を提供する。【解決手段】内方板と、外方板と、内方板と外方板との間の中間部と、を備えるフェースプレートと、フェースプレートの内方板に対して結合された中間部の内方中間部端部と、フェースプレートの外方板に対して結合された中間部の外方中間部端部と、を備え、中間部は内方板と外方板とに囲まれる複数のセルを画定する複数の壁部を備えるセル格子を備え、複数のセルの密度がフェースプレートの標的衝突領域に向かって低くなり、内方板、外方板、および中間部は、少なくとも、チタン８−１−１材料又はチタン６−４材料の１つで構成されている、ゴルフクラブヘッド。【選択図】なし【特許請求の範囲】
【請求項１】
ゴルフクラブヘッド用のフェースプレートを提供するための方法であって、
前記フェースプレートの内方板を提供するステップと、
前記フェースプレートの外方板を提供するステップと、
前記フェースプレートの中間部を提供するステップと、
前記内方板と前記外方板との間に前記中間部を囲むステップと、を含み、
前記中間部を提供するステップは、
第１の中間部層および第２の中間部層を備える複数の中間部層を提供するステップと、
前記第１の中間部層を貫通する第１の格子パターンを形成するステップと、
前記第２の中間部層を貫通する第２の格子パターンを形成するステップと、を含み、
前記内方板、前記外方板、および前記中間部層を提供するステップは、
前記中間部、前記内方板、または前記外方板のそれぞれを別個の異なる片として提供するステップを含み、
前記中間部を囲むステップは、
前記第１の中間部層および前記第２の中間部層を含めて、前記内方板、前記中間部、および前記外方板を共に拡散接合して単一の一体材料片にするステップであって、前記単一の一体材料片は、前記内方板と前記中間部との間が、および前記中間部と前記外方板との間が、実質的にシームレスである、ステップを含み、
拡散接合するステップの後に、
前記中間部の中間部中央領域は、セル格子を備え、
前記セル格子は、六角形パターンで複数のセルを画成する複数の壁部を備え、
前記セル格子の前記複数の壁部および前記複数のセルは、前記第１の格子パターンおよび前記第２の格子パターンにより少なくとも部分的に画定され、
前記セル格子は、前記フェースプレートの前記内方板と前記外方板との間で完全に囲まれ、
前記中間部の中間部周縁領域が、前記中間部中央領域を囲み、前記セル格子を有さず、
前記第１の中間部層を貫通する前記第１の格子パターンを形成するステップは、
前記第１の中間部層を貫通する第１の切欠部を形成するステップであって、前記第１の切欠部は、前記セル格子の第１のセルの第１の容積部分を画成するように構成される、ステップを含み、
前記第２の中間部層を貫通する前記第２の格子パターンを形成するステップは、
前記第２の中間部層を貫通する第２の切欠部を形成するステップであって、前記第２の切欠部は、前記第１のセルの第２の容積部分を画成するように構成される、ステップを含み、
前記中間部を囲むステップは、
前記第１の切欠部および前記第２の切欠部が前記第１のセルの第１のセル軸を中心として配置されるように、前記第１の中間部層を覆って前記第２の中間部層を位置合わせするステップを含む、方法。
【請求項２】
前記中間部を囲むステップは、アイソグリッドパターンで前記複数のセルを形成するステップを含み、
前記内方板、前記中間部、および前記外方板を共に拡散接合するステップは、
高圧および高熱工程により、前記内方板と前記中間部と前記外方板との間の界面を共に結合するステップを含み、
前記内方板、前記外方板、および前記中間部を提供するステップは、
αタイプ結晶構造を有するチタン合金をそれぞれが含むように前記中間部、前記内方板、および前記外方板を提供するステップを含み、
前記内方板、前記中間部、および前記外方板を共に拡散接合するステップは、
前記中間部、前記内方板、および前記外方板の前記αタイプ結晶構造をβタイプ結晶構造へと変態させて、前記中間部、前記内方板、および前記外方板を共に結合させるステップであって、
前記αタイプ結晶構造は、六角形結晶相を備え、
前記βタイプ結晶構造は、体心立方結晶相を備える、ステップを含む、請求項１に記載の方法。
【請求項３】
ゴルフクラブヘッド用のフェースプレートを提供するための方法であって、
前記フェースプレートの内方板を提供するステップと、
前記フェースプレートの外方板を提供するステップと、
前記フェースプレートの中間部を提供するステップと、
前記内方板と前記外方板との間で前記中間部を結合するステップであって、
前記中間部の内方中間部端部が前記フェースプレートの前記内方板に対して結合され、
前記中間部の外方中間部端部が前記フェースプレートの前記外方板に対して結合されるように、結合するステップと、を含み、
前記中間部を提供するステップは、
前記中間部内にセル格子を提供するステップであって、前記セル格子は、複数のセルを画成する複数の壁部を備える、ステップを含む、方法。
【請求項４】
前記中間部を結合するステップは、
接着剤または固定具を用いずに、前記内方板、前記中間部、および前記外方板を単一の一体材料片へと共に組み合わせるステップを含む、請求項３に記載の方法。
【請求項５】
前記単一の一体材料片は、前記内方板と前記中間部との間および前記中間部と前記外方板との間において、シームレスである、請求項４に記載の方法。
【請求項６】
前記中間部を結合するステップは、
高圧および高熱工程を使用した拡散接合により、前記内方板、前記中間部、および前記外方板を共に組み合わせるステップを含む、請求項４または５に記載の方法。
【請求項７】
前記中間部層は、金属材料を含み、
前記内方板および前記外方板は、前記金属材料を含む、請求項３から６のいずれか一項に記載の方法。
【請求項８】
前記金属材料は、少なくとも約８％のアルミニウムを含むチタン合金を含む、請求項６または７に記載の方法。
【請求項９】
前記内方板と前記外方板との間で前記中間部を結合するステップの前に、
前記内方板は、αタイプ構造の第１の結晶構造を備え、
前記外方板は、前記αタイプ構造の第２の結晶構造を備え、
前記中間部は、前記αタイプ構造の中間部結晶構造を備え、
前記内方板と前記外方板との間で前記中間部を結合するステップは、
前記第１の結晶構造、前記第２の結晶構造、および前記中間部結晶構造をβタイプ構造へと変態させるステップであって、
前記中間部結晶構造が前記第１の結晶構造と結合され、
前記中間部結晶構造が前記第２の結晶構造と結合されるように、変態させるステップを含む、請求項３から８のいずれか一項に記載の方法。
【請求項１０】
前記セル格子を提供するステップは、
前記内方中間部端部から前記外方中間部端部にかけて延在する前記セル格子を提供するステップを含む、請求項３から９のいずれか一項に記載の方法。
【請求項１１】
前記中間部を提供するステップは、
前記中間部の中間部中央領域内に前記セル格子を形成するステップと、
前記中間部中央領域を囲み、前記セル格子を有さない、前記中間部の中間部周縁領域を提供するステップと、を含む、請求項３から１０のいずれか一項に記載の方法。
【請求項１２】
前記ゴルフクラブヘッドの前方端部に対して前記フェースプレートを結合するステップ
をさらに含み、
前記ゴルフクラブヘッドの前記前方端部に対して前記フェースプレートを結合する前記ステップは、
前記ゴルフクラブヘッドの前記前方端部を、
前記内方板の内方板周縁領域、または
前記外方板の外方板周縁領域
の少なくとも一方に対して結合するステップを含み、
前記内方板周縁領域および前記外方板周縁領域は、前記中間部中央領域において前記セル格子に接触することなく、前記中間部周縁領域に対して結合される、請求項１１に記載の方法。
【請求項１３】
前記セル格子を提供するステップは、六角形形状、ダイヤモンド形状、矩形形状、円形形状、または三角形形状のうちの少なくとも１つを有する複数のセルのうちの１つまたは複数を提供するステップを含む、請求項３からい１２のいずれか一項に記載の方法。
【請求項１４】
前記セル格子を提供するステップは、
前記複数のセルのうちの第１のセットのうちのセルに第１の幾何学形状を与えるステップと、
前記複数のセルのうちの第２のセットのうちのセルに前記第１の幾何学形状とは異なる第２の幾何学形状を与えるステップと、
前記複数のセルのうちの前記第２のセットを間に織り交ぜて前記複数のセルの前記第１のセットを提供するステップと、を含む、請求項３から１３のいずれか一項に記載の方法。
【請求項１５】
前記セル格子を提供する前記ステップは、前記複数のセルのうちの１つまたは複数の中に１つまたは複数のサブセルを形成するステップを含む、請求項３から１４のいずれか一項に記載の方法。
【請求項１６】
前記セル格子を形成するステップは、アイソグリッドパターンで前記複数のセルを形成するステップを含む、請求項３から１５のいずれか一項に記載の方法。
【請求項１７】
前記セル格子を提供するステップは、
前記複数の壁部のうちの２つ以上が共に結合する複数のセル連接部を提供するステップと、
前記複数のセル連接部のうちの第１のセル連接部中に第１の連接部チャネルを形成するステップであって、前記第１の連接部チャネルは、前記内方中間部端部から前記外方中間部端部まで延在する、ステップと、を含む、請求項３から１６のいずれか一項に記載の方法。
【請求項１８】
前記セル格子を提供するステップは、
前記複数のセルの隣接し合うセル同士の間に横方向通路を備えるように、前記複数の壁部の第１の壁部を形成するステップを含む、請求項３から１７のいずれか一項に記載の方法。
【請求項１９】
前記セル格子を提供するステップは、
非一定の壁部寸法を有するように前記複数の壁部の第１の壁部を形成するステップを含む、請求項３から１８のいずれか一項に記載の方法。
【請求項２０】
前記セル格子を提供するステップは、
前記複数のセルの密度が前記フェースプレートの標的衝突領域に向かっては低くなり、第１のパターン、または
前記複数のセルのサイズが前記フェースプレートの前記標的衝突領域に向かっては小さくなる、第２のパターン
の少なくとも一方で前記複数のセルを形成するステップを含む、請求項３から１９のいずれか一項に記載の方法。
【請求項２１】
前記中間部を提供するステップは、
第１の中間部層および第２の中間部層を備える複数の中間部層を提供するステップを含み、
前記中間部内に前記セル格子を提供するステップは、
前記第１の中間部層を貫通する前記セル格子の第１の格子パターンを形成するステップと、
前記第２の中間部層を貫通する前記セル格子の第２の格子パターンを形成するステップと、を含み、
前記内方板と前記外方板との間で前記中間部を結合するステップは、
前記第１の中間部層および前記第２の中間部層を単一の材料片へと共に一体的に組み合わせるステップを含む、請求項３から２０のいずれか一項に記載の方法。
【請求項２２】
前記セル格子を提供するステップは、前記複数のセルの第１のセルを形成するステップを含み、
前記第１の中間部層を貫通する前記第１の格子パターンを形成するステップは、
前記第１の中間部層を貫通する第１の切欠部を形成するステップであって、前記第１の切欠部は、前記第１のセルの第１の容積部分を画成するように構成される、ステップを含み、
前記第２の中間部層を貫通する前記第２の格子パターンを形成するステップは、
前記第２の中間部層を貫通する第２の切欠部を形成するステップであって、前記第２の切欠部は、前記第１のセルの第２の容積部分を画成するように構成される、ステップを含む、請求項２１に記載の方法。
【請求項２３】
前記第２の切欠部を形成するステップは、
前記第１の切欠部とは異なる寸法を有するように前記第２の切欠部を形成するステップであって、前記異なる寸法は、異なる半径、異なる外周長、異なる面積、または異なる容積のうちの少なくとも１つを含む、ステップを含む、請求項２２に記載の方法。
【請求項２４】
前記第１の中間部層および前記第２の中間部層を共に組み合わせるステップの前に、
前記セル格子を形成するステップは、
前記第１の切欠部および前記第２の切欠部が前記第１のセルの第１のセル軸を中心として配置されるように、前記第１の中間部層の上に前記第２の中間部層を位置合わせするステップを含む、請求項２２または２３に記載の方法。
【請求項２５】
前記セル格子を提供するステップは、前記複数のセルの第１のセルを形成するステップを含み、
前記第１の中間部層を貫通する前記第１の格子パターンを形成するステップは、
前記第１の中間部層を貫通する第１の切欠部を形成するステップであって、前記第１の切欠部は、前記第１のセルの第１の容積部分を画成するように構成される、ステップを含み、
前記第１の中間部層および前記第２の中間部層を共に組み合わせるステップの前に、
前記第２の中間部層を貫通する前記セル格子の前記第２の格子パターンを形成する前記ステップが、
前記第２の中間部層を貫通する第２の切欠部を形成するステップであって、前記第２の切欠部は、前記セル格子の第２のセルの第２の容積部分を画成するように構成される、ステップを含み、
前記セル格子を提供するステップが、
前記第２の中間部層の上に前記第１の中間部層を位置合わせするステップであって、
前記第１のセルおよび前記第２のセルが相互に対してオフセットされ、
前記第２のセルが前記第１の中間部層の中実部分により少なくとも部分的に覆われ、
前記第１のセルが前記第２の中間部層の中実部分により少なくとも部分的に覆われるように、位置合わせするステップをさらに含む、請求項２１に記載の方法。
【請求項２６】
ゴルフクラブヘッド用のフェースプレートであって、
内方板と、
外方板と、
中間部であって、
前記内方板に対して結合された内方中間部端部、
前記外方板に対して結合された外方中間部端部、および
前記内方中間部端部と前記外方中間部端部との間に複数のセルを画成する複数の壁部を備えるセル格子を備える、中間部と、を備える、フェースプレート。
【請求項２７】
フェースプレート中央領域と、
前記フェースプレート中央領域と前記フェースプレートの外周部との間のフェースプレート周縁領域と、をさらに備え、
前記内方板は、第１の結晶構造を備え、
前記外方板は、第２の結晶構造を備え、
前記中間部は、中間部結晶構造を有する複数の中間部層を備え、
前記内方板、前記外方板、および前記中間部は、前記複数の中間部層と共に、単一の材料片を構成し、
前記中間部は、金属材料を含み、
前記内方板および前記外方板は、前記金属材料を含み、
前記セル格子は、前記フェースプレート周縁領域内に延在することなく、前記フェースプレート中央領域内に位置し、
前記セル格子は、前記複数の壁部により画定された六角形パターンを備える、請求項２６に記載のフェースプレート。
【請求項２８】
前記金属材料は、少なくとも約８％のアルミニウムを含むチタン合金を含み、
前記第１の結晶構造、前記第２の結晶構造、および前記中間部結晶構造は、体心立方結晶相を有するβタイプ構造を備え、
前記セル格子は、前記複数の壁部および前記複数のセルにより画定されるアイソグリッドパターンを備える、請求項２７に記載のフェースプレート。
【発明の詳細な説明】
【技術分野】
【０００１】
関連出願の相互参照
本国際特許出願は、２０１１年９月２１日に出願された米国特許仮出願第６１／５３７，２７８号の利益を主張した２０１２年１月１７日に出願された米国特許出願第１３／３５２，０８６号の利益を主張するものである。
【０００２】
本開示は、一般的にはスポーツ用具に関し、より詳細には内部セル格子を有するゴルフクラブフェースプレートおよびそれに関連する方法に関する。
【背景技術】
【０００３】
ゴルフクラブヘッド技術の開発は、一部においては、重量および質量の位置に関して配慮しつつ、プレー特性（プレーのし易さ）を向上させるという要望を特徴としてきた。
【発明の概要】
【発明が解決しようとする課題】
【０００４】
しかし、ゴルフクラブヘッドの高応力位置および／または厚さが限定される位置における、あるいはその周囲における、質量の変更または再分配を行い得る可能性は、構造的弾性に関する配慮に関連してバランスを取る必要がある。上記を考慮しつつ、重量の再分配に関してさらに研究することにより、ゴルフクラブヘッドのプレー特性（プレーのし易さ）が進歩することになる。
【０００５】
図面内の添付の図と組み合わせて実施形態の例の以下の詳細な説明を読むことにより、本開示がよりよく理解されよう。
【図面の簡単な説明】
【０００６】
【図１】クラブヘッドボディに結合されているフェースプレートを備えるゴルフクラブヘッドの正面透視図である。
【図２】線ＩＩ−ＩＩに沿った図１のフェースプレートの断面図である。
【図３】一体的に組み合わされる前の、図１のフェースプレートを構成する種々の層の部分の斜視図である。
【図４】格子パターンおよび位置合わせ要素を備える、図１のフェースプレートの中間部層の正面図である。
【図５】内方板層を除いたフェースプレートの一実施形態において、露出したセル格子の空隙部分に、および、その周囲に不利に集中した不均一な応力分布を示した有限要素解析を示す図である。
【図６】図１のフェースプレートのセル格子の一部分の斜視図である。
【図７】フェースプレートのセル格子の一部分の正面図である。
【図８】フェースプレートのセル格子の一部分の側面図である。
【図９】フェースプレートのセル格子の一部分の側面図である。
【図１０】ゴルフクラブヘッド用のフェースプレートを提供するための方法のフローチャートである。
【図１１】フェースプレートのセル格子の一部分を示す図である。
【図１２】フェースプレートのセル格子の一部分を示す図である。
【図１３】フェースプレートのセル格子の一部分を示す図である。
【図１４】フェースプレートのセル格子の一部分を示す図である。
【図１５】フェースプレートのセル格子の一部分を示す図である。
【図１６】フェースプレートのセル格子の一部分を示す図である。
【図１７】高さが相互に異なるセルを有するセル格子を有するフェースプレートの断面図である。
【図１８】非一定なセル寸法を有するセル格子を備えるフェースプレートの正面「Ｘ線」透視図である。
【図１９】１つまたは複数のセル格子により種々のセル格子領域に区分されたフェースプレートの正面図である。
【図２０】１つまたは複数のセル格子により種々のセル格子領域に区分されたフェースプレートの正面図である。
【図２１】１つまたは複数のセル格子により種々のセル格子領域に区分されたフェースプレートの正面図である。
【図２２】１つまたは複数のセル格子により種々のセル格子領域に区分されたフェースプレートの正面図である。
【発明を実施するための形態】
【０００７】
図示の単純化および明瞭化を目的として、図面は、概略的な構造態様を示し、周知の特徴および技法に関する説明および詳述は、本開示を不必要に曖昧にするのを回避するために省略される場合がある。さらに、図面内の要素は、必ずしも縮尺通りには描画されない。例えば、これらの図中の要素のうちの一部の寸法が、本開示の実施形態の理解の向上を促すために、他の要素に対して誇張される場合がある。種々の図面中の同一の参照数字は、同一の要素を示す。
【０００８】
本説明および特許請求の範囲内において「第１の」、「第２の」、「第３の」、および「第４の」等々の用語が使用される場合には、これらは、同様の要素間を区別するために使用され、必ずしもある特定の順番または時系列順を説明するために使用されるわけではない。このように用いられる用語は、例えば本明細書において説明される実施形態が、本明細書において示されるかまたは別様に説明される順序以外の順序で動作可能であるような適切な状況下においては、互換的である点に理解されたい。さらに、「含む」および「有する」という用語、ならびにそれらの任意の変形語は、非排他的な包含を対象とすることを意図され、そのため、工程、方法、システム、物品、デバイス、または一連の要素を備える装置は、必ずしもそれらの要素に限定されず、明示されないまたはかかる工程、方法、システム、物品、デバイス、もしくは装置に固有の他の要素を含み得る。
【０００９】
本説明および特許請求の範囲内において「左の」、「右の」、「前方の」、「後方の」、「上部の」、「下部の」、「上方の」、および「下方の」等々の用語が使用される場合には、これらは、説明を目的として使用され、必ずしも恒久的な相対位置を説明するために使用されるわけではない。このように用いられる用語は、例えば本明細書において説明される装置、方法、および／または製造物品の実施形態が、本明細書において示されるかまたは別様に説明される方向以外の他の方向で動作可能であるような適切な状況下においては、互換的である点に理解されたい。
【００１０】
「結合する」、「結合された」、および「結合している」等々の用語は、広義に理解されるべきであり、２つ以上の要素または信号を電気的に、機械的に、または別様に接続することを指す。２つ以上の電気的要素が、電気的に結合されるが、機械的にはまたは別様には結合されなくてもよく、２つ以上の機械的要素が、機械的に結合されるが、電気的にまたは別様には結合されなくてもよく、２つ以上の電気的要素が、機械的に結合されるが、電気的にまたは別様には結合されなくてもよい。結合（機械的、電気的、または別様なものあるか否かにかかわらず）は、例えば恒久的、半恒久的、または一瞬の間のみなど、任意の時間の長さにわたるものであってもよい。
【００１１】
「機械的結合」等々は、広義に理解されるべきであり、全てのタイプの機械的結合を含む。「着脱自在に」および「着脱自在な」等々の語が「結合された」等々の語の付近に存在しない場合には、これは、当該の結合等々が着脱自在であることも、または着脱自在ではないことも意味しない。
【００１２】
本明細書において定義する場合に、２つ以上の要素は、それらが同一の材料片から構成される場合には、「一体的」である。本明細書において定義する場合に、２つ以上の要素は、それらがそれぞれ異なる材料片から構成される場合には、「非一体的」である。
【００１３】
一実施形態においては、ゴルフクラブヘッド用のフェースプレートを提供するための方法が、フェースプレートの内方板を提供することと、フェースプレートの外方板を提供することと、フェースプレートの中間部を提供することと、内方板と外方板との間で中間部を囲むこととを備え得る。中間部を提供することは、第１の中間部層および第２の中間部層を備える複数の中間部層を提供することと、第１の中間部層を貫通する第１の格子パターンを形成することと、第２の中間部層を貫通する第２の格子パターンを形成することとを備え得る。内方板、外方板、および中間部を提供することは、中間部、内方板、または外方板のそれぞれを別個の異なる片として提供することを備え得る。中間部を囲むことは、第１の中間部層および第２の中間部層を備え、内方板、中間部、および外方板を共に拡散接合することにより、内方板と中間部との間および中間部と外方板との間が実質的にシームレスである単一の一体材料片をもたらすことを備え得る。拡散接合後には、中間部の中間部中央領域は、セル格子を備えることが可能であり、これらのセル格子は、六角形パターンで複数のセルを画成する複数の壁部を備えることが可能であり、セル格子のこれらの複数の壁部および複数のセルは、少なくとも部分的には、第１の格子パターンおよび第２の格子パターンにより画定され得るものであり、セル格子は、フェースプレートの内方板と外方板との間に完全に囲まれ得るものであり、中間部の中間部周縁領域は、中間部中央領域を囲むことが可能であり、セル格子を有さないことが可能である。第１の中間部層を貫通する第１の格子パターンを形成することは、第１の中間部層を貫通する第１の切欠部を形成することを備えることが可能であり、第１の切欠部は、セル格子の第１のセルの第１の容積部分を画定するように構成される。第２の中間部層を貫通する第２の格子パターンを形成することは、第２の中間部層を貫通する第２の切欠部を形成することを備えることが可能であり、第２の切欠部は、第１のセルの第２の容積部分を画定するように構成される。中間部を囲むことは、第１の切欠部および第２の切欠部が、第１のセルの第１のセル軸を中心として配置されるように、第１の中間部層の上に第２の中間部層を位置合わせすることを備え得る。
【００１４】
一実施形態においては、ゴルフクラブヘッド用のフェースプレートを提供するための方法は、フェースプレートの内方板を提供することと、フェースプレートの外方板を提供することと、フェースプレートの中間部を提供することと、中間部の内方中間部端部がフェースプレートの内方板に対して結合されるように、および中間部の外方中間部端部がフェースプレートの外方板に対して結合されるように、内方板と外方板との間で中間部を結合することとを備え得る。中間部を提供することは、中間部内にセル格子を提供することを備えることが可能であり、このセル格子は、複数のセルを画成する複数の壁部を備える。
【００１５】
一実施形態においては、ゴルフクラブヘッド用のフェースプレートは、内方板、外方板、および中間部を備え得る。中間部は、内方板に結合される内方中間部端部と、外方板に結合される外方中間部端部と、内方中間部端部と外方中間部端部との間に複数のセルを画成する複数の壁部を備えるセル格子とを備え得る。
【００１６】
本明細書においては、他の例および実施形態がさらに開示される。かかる例および実施形態は、図面、特許請求の範囲、および／または本説明内において確認し得る。
【００１７】
図面を参照すると、図１は、クラブヘッドボディ１０９に結合されているフェースプレート１００を備えるゴルフクラブヘッド１０の正面透視図を示す。図２は、図１の線ＩＩ−ＩＩに沿ったフェースプレート１００の断面図を示す。図２に示されるように、フェースプレート１００は、内方板２１０、外方板１２０、および内方板２１０と外方板１２０との間の中間部２３０を備え、中間部２３０は、セル２４２を画定する壁部２４１を有するセル格子２４０を備える。本例においては、セル格子２４０は、内方中間部端部２４５から（セル格子２４０が内方板２１０に結合される位置）外方中間部端部２４６まで（セル格子２４０が内方板２１０に対して結合される位置）延在する。したがって、セル格子２４０は、本例においては、内方板１２０と外方板２１０との間、および、周縁中間部領域２３２により、フェースプレート１００内に完全に封入される。図２においては、内方中間部端部２４５および外方中間部端部２４６は、破線に沿って示されるが、本実施形態においては、中間部２３０と内方板２１０または外方板１２０との間の界面は、視覚的におよび／または構造的にシームレスまたは認識不可能であってもよい。
【００１８】
フェースプレート１００の各部分が、それぞれ異なる厚さを有することが可能である。本例においては、外方板１２０の厚さは、約０．０３インチ（約０．０８ｍｍ）であり、中間部２３０の厚さは、約０．０７インチ（約１．７８ｍｍ）であり、内方板の厚さは、一定ではなく、中央部付近では約０．０５インチ（約０．１３ｍｍ）であり、周縁部付近では約０．０３インチ（約０．０８ｍｍ）である。本例において、内方板２１０の厚さは、外方板１２０の厚さよりも大きく、内方板２１０は、フェースプレート１００の衝突表面から離れる方向に向くことにより、フェースプレート全体にわたって衝突応力をより良好に分配する。いくつかの例においては、内方板２１０および外方板１２０の厚さは、相互に実質的に同様であることが可能であり、および／または一定であってもよい。
【００１９】
本例において、フェースプレート１００は、内方板２１０、外方板１２０、および中間部２３０が単一の一体材料片へと共に組み合わされた状態で図示される。いくつかの例においては、内方板２１０、外方板１２０、および／または中間部２３０は、高圧工程および／または高温工程を介するように、接着剤または固定具の使用を伴わずに共に組み合わされてもよい。これと同じまたは他の例においては、かかる工程は、拡散接合工程を含んでもよい。内方板２１０と外方板１２０との間に中間部２３０を合体させて単一の一体材料片にすることが可能であることは、セル格子２４０によるフェースプレート１００の重量の軽減など、多数の利点をもたらし得る。いくつかの例においては、フェースプレート１００内にセル格子２４０を封入することにより、約８％〜約２５％の重量削減が可能となり得る。かかる結果は、フェースプレート１００の強度または耐久性を損なうことなく、ならびに、例えばフェースプレート１００は、セル格子２４０が露出された状態でおよび／または内方板２１０もしくは外方板１２０の一方を有さずに作製された場合などに、不均一な応力分布の結果として生じる、不利な曲げ易さ、易弾性、および／または撓曲のし易さをもたらすことなく、達成され得る。一例としては、および図が飛ぶが、図５は、セル格子に対して結合された単一の板のみを備える一実施形態における、露出されたセル格子空隙部分のおよびその周囲の高密度の点で示した中央領域により表されるような、不利に集中した不均一な応力分布を示した、有限要素解析図の断面図を示す。
【００２０】
図３に戻ると、中間部層３３０を含む、共に組み合わされる前のフェースプレート１００を備える種々の層３００の部分の斜視図が示される。本例においては、中間部２３０は、フェースプレート１００の単一の一体材料片に共に組み合わされる中間部層３３０を備える。同じまたは他の例においては、複数の中間部層３３０は、上述の高圧工程および高熱工程により共に組み合わされ得る。図３において分かるように、内方板２１０および外方板１２０もまた、外方板層３２０および内方板層３１０などの複数の層から形成することが可能であり、これらは、フェースプレート１００の単一の一体材料片へと共に組み合わされ得る。本実施形態においては、内方板２１０は、外方板１２０が備える外方板層３２０の個数よりも多数の内方板層３１０を備えるが、このような関係が逆となる、あるいは、両板が同一個数の層を備える、他の実施形態が可能である。しかし、内方板２１０、外方板１２０、および／または中間部２３０のうちの１つまたは複数が、共に結合された複数の層ではなく、単一の層を初めから備え得る、他の実施形態であってもよい。
【００２１】
図３は、金属材料シートとして層３００の部分を示し、共に組み合わされた場合にセル格子２４０を形成するように構成された代表的な切欠部を有する中間部層３３０を示す。図４は、格子パターン３４１および位置合わせ要素３５１〜３５４を備える、中間部２３０の中間部層３３１の正面図を示す。格子パターン３４１は、切欠部３４２などの複数の切欠部を備え、これらは、壁部２４１の層部分と、セル格子２４０のセル２４２の容積の層部分と、を画定する。いくつかの例においては、セル格子２４０は、層３００（図３）を共に組み合わせる前に、中間部層３３０の各格子パターンの切欠部を機械加工することによっておよび／または化学エッチングすることによってなど、１つまたは複数の工程によって形成されてもよい。セル格子２４０あるいはその要素のうちの１つまたは複数の機械加工を伴う例においては、かかる機械加工は、コンピュータ数値制御（ＣＮＣ）機械加工、ウォータージェット切断、および／または放電加工を介によって等、１つまたは複数の技法を介して実施され得る。
【００２２】
本例においては、格子パターン３４１の切欠部は、全て相互に同様であるが、切欠部が、異なるジオメトリ、異なる寸法を（それぞれ異なる半径、それぞれ異なる外周長、それぞれ異なる面積、および／またはそれぞれ異なる容積など）を有し得るような、他の例が可能である。これと同じまたは他の例は、セル２４２の個数密度がフェースプレート１００の標的衝突領域１５０の付近では低いパターン、および／または、セル２４２のサイズもしくは寸法がフェースプレート１００の標的衝突領域１５０の付近では小さいパターンなどの、他のパターンを備えてもよい。
【００２３】
図４を参照すると、中間部層３３１の位置合わせ要素３５１〜３５４が、層３００（図３）のうちの他のものの対応する位置合わせ要素の代表として示される。位置合わせ要素３５１〜３５４は、層３００のうちの各層の各位置合わせ要素３５１〜３５４が、層３００が図３に示すように積層される場合に、単一の配向のみにおいて相互に位置合わせされるように構成される。したがって、位置合わせ要素３５１〜３５４は、層３００の全てにわたり相互に位置合わせされると、壁部２４１および格子パターン３４１などの中間部層３３０の種々の格子パターンもまた位置合わせされて、層３００が共に組み合わされるとセル格子２４０（図２〜図３）が生じる。本例においては、層３００全体にわたり位置合わせ要素３５１〜３５４を位置合わせすることにより、種々の層３００の切欠部もまた、相互に位置合わせされることとなる。例えば、図３において分かるように、切欠部３４２および３４３は、中間部層３３０のうちのそれぞれに位置するが、位置合わせ要素３５１〜３５４が層３００全体にわたり位置合わせされると、共にセル軸３５０を中心として配置される。層３００が、共に組み合わされると、セル軸３５０を中心として配置された中間部層３３０の各切欠部により、セル格子２４０のセル２４２のうちの単一のセルが画定される。しかし、中間部層３３０のそれぞれの切欠部が、セル軸を中心として位置合わせされる、又は、配置されるのではなく、相互からオフセットされ得る他の例であってもよい。
【００２４】
本例においては、フェースプレート１００の各層３００は、同一タイプの材料を含む。一例としては、中間部２３０、内方板２１０、および外方板１２０、ならびに各中間部層３３０、内方板層３１０、および外方板層３２０は、金属合金などの金属材料を含む。本例においては、層３３１などの層３００の各層が、約０．０１インチすなわち約０．２５ｍｍの厚さを有し得る。これと同じまたは他の実施形態においては、かかる層３００のうちの１つまたは複数が、約０．２５ｍｍ〜約２．５４ｍｍの範囲内の厚さを有し得る。
【００２５】
本実施形態においては、フェースプレート１００の層３００用の金属材料は、少なくとも約８％（体積％）のアルミニウムを含むチタン合金を含むことが可能である。これと同じまたは他の例においては、金属合金は、約８％のアルミニウム、１％のバナジウム、および１％のクロムを有する、チタン８−１−１合金を含むことが可能である。強度に応じて、βタイプ結晶構造としてのそれらの脆性／弾性を考慮して、他の材料が使用されてもよい。例えば、いくつかの実施形態において、約６％のアルミニウムおよび４％のバナジウムを有するチタン６−４合金が使用されてもよいが、これはチタン８−１−１よりも５％〜１２％低弾性になり得るため、フェースプレート１００がゴルフ衝撃応力に適切に耐えるようにするために、さらなる補強または厚さが必要となり得る。これに対して、市販の純チタンなどの他の材料は、フェースプレート１００が受ける応力に適切に耐えるのには適さない場合がある。
【００２６】
層３００の金属合金は、共に組み合わされる前にはαタイプ結晶構造を備え、上述の高熱工程および高圧工程などにより共に組み合わせた後にはより強力なβタイプ結晶構造を備え得る例が可能である。一例としては、αタイプ結晶構造は、六角形結晶相を備えてもよく、および／または、βタイプ結晶構造は、体心立方結晶相を備えてもよい。組合せ工程が完了することによりフェースプレート１００用の単一の一体材料片が得られると、βタイプ結晶構造への変態によって、層３００の隣接し合う層の結晶構造が、分子レベルにおいて共に相互に結合することが可能となり得る。
【００２７】
図３、４において分かるように、層３００を含む金属材料のシートは、本例においてはフェースプレート１００よりも大きい。これと同じまたは他の例において、フェースプレート１００は、層３００が単一の一体材料片へと組み合わされると、図４において点線で示される切断外周部などのフェースプレート１００のフェースプレートエッジ１０１を画定する切断外周部に沿ったウォータージェット切断によりまたは他の切断により、金属材料のシートの他の部分から分離され得る。
【００２８】
本例においては、フェースプレート１００は、図４に示す例示的な中間部層３３１から分かるように、中間部２３０の中央領域にセル格子２４０を備える。また、中間部２３０は、セル格子２４０を囲むおよびセル２４２を有さない周縁中間部領域２３２をさらに備える。したがって、セル格子２４０は、周縁中間部領域２３２によりフェースプレートエッジ１０１から分離される。いくつかの例においては、フェースプレートエッジ１０１からセル格子２４０を分離することにより、セル格子２４０は、フェースプレート１００がゴルフクラブヘッド１０の前方端部に対して結合された場合に、クラブヘッドボディ１０９との界面または溶接ゾーンから離間されることが可能となり得る。これと同じまたは他の例においては、フェースプレートエッジ１０１およびクラブヘッドボディ１０９との界面からセル格子２４０をこのように離間させることは、フェースプレート１００とクラブヘッドボディ１０９との間のより良好な溶接または接合を可能にするのに、有利となり得る。しかし、セル格子２４０が中間部２３０内において、フェースプレートエッジ１０１またはその付近まで延在し得る他の例も可能である。
【００２９】
セル格子２４０は、図４において分かるように、本例では六角形ごとに６つのサブセルを有する六角形アイソグリッドパターンを備えることにより、強度対重量性能および強化ハニカム構造の万能性が得られる。本実施形態においては、６つのサブセルはそれぞれ、同一の三角形形状を有する。これと同じまたは他の例においては、（内方板２１０と外方板１２０との間の）セルまたはサブセルの壁部の深さが、約０．０７インチ（約１．７８ｍｍ）であることが可能であり、セルまたはサブセルの壁部の長さが、約０．０６インチ（約１．５３ｍｍ）であることが可能であり、および／または、セルまたはサブセルの壁部の厚さが、約０．０１インチ（約０．２５ｍｍ）であることが可能である。これと同じまたは他の例においては、セルまたはサブセルの壁部の深さは、約１．２７ｍｍ〜約３．０５ｍｍであることが可能であり、セルまたはサブセルの壁部の長さは、約１ｍｍ〜約３．０５ｍｍであることが可能であり、および／または、セルまたはサブセルの壁部の厚さは、約０．２０ｍｍ〜約０．７６ｍｍであることが可能である。しかしセル格子の他の例は、種々の形状および／または寸法を備え得る。
【００３０】
続けて図面を見ると、図６は、フェースプレート１００のセル格子２４０の一部分の斜視図であり、内方板２１０、外方板１２０、および周縁中間部領域２３２は、明瞭化のために省かれている。セル格子２４０は、２つ以上の壁部２４１が共に結合されるセル連接部４４３などの複数のセル連接部を備える。本例においては、セル連接部は、セルの壁部同士の間に弓状移行部を有する。例えば、壁部６４１２および６４１３は、セル連接部４４３において合流し、セル連接部４４３におけるこれらの壁部同士の間の接合部は、尖鋭状または鋭角状ではなく、弓状を有する。本例においては、かかる弓状接合部は、約０．０５インチ（約０．１３ｍｍ）の半径を有するが、弓状接合部が約０．０２５ｍｍ〜約０．４０ｍｍの半径を有し得る他の例も可能である。かかる弓状特徴部は、例えば、セル格子中の材料疲労および／またはクラッキングを引き起こし得る応力を集中させ得る鋭角のエッジまたは隅部を回避するためなどに有益である。
【００３１】
また本例においては、１つまたは複数のセル連接部は、内方中間部端部２４５から外方中間部端部２４６までにわたりセル連接部４４３内に延在する連接部チャネル４４３１などの各連接部チャネルを備えることが可能である。連接部チャネル４４３１は、本例においては約０．０１５インチ（約０．３８ｍｍ）の最大寸法または直径を有するが、同様の連接部チャネルが、約０．２ｍｍ〜約０．６６ｍｍの直径および／または最大寸法を有し得る例も可能である。
【００３２】
さらに、セル格子２４０は、本例においては、セル２４２のうちの少なくとも２つの隣接し合うセル同士の間の横方向通路６４４などの、１つまたは複数の横方向通路をさらに備える。横方向通路６４４は、本例においては約０．０５インチ（約１．２７ｍｍ）の最大寸法または直径を有するが、同様の横方向通路が、約０．５ｍｍ〜約１．２７ｍｍの直径および／または最大寸法を有し得る例も可能である。
【００３３】
連接部チャネル４４３１および横方向通路６４４などの特徴が加わることにより、フェースプレート１００の強度または完全性を損なうことなく、重量をさらに軽減することが可能となる。また、連接部チャネル４４３１および／または通路６４４のジオメトリおよび／または形状は、セル２４２と同一のジオメトリおよび／または形状か、あるいは別のジオメトリおよび／または形状となるように変更されてもよい。さらに、各連接部チャネル４４３１および／または通路６４４は、それぞれ異なるジオメトリおよび／または形状を有することが可能である。
【００３４】
図７は、セル格子７４０の一部分を示す。いくつかの例においては、セル格子７４０は、セル格子２４０（図１〜図４、図６）と同様であることが可能であり、図１〜図３において、フェースプレート１００に関連して上述したように、内方板２１０と外方板１２０との間などの板間に配置され得る。セル格子７４０は、それぞれ壁部２４１および壁部２４２（図１〜４、図６）と同様の、壁部７４１およびセル７４２を備えるが、壁部７４１は、非一定の壁部寸法を有する。一例としては、壁部７４１１の壁部厚さ寸法は、その長さに沿って変化し、壁部厚さは、その長さの中心付近ではより薄く、その長さの端部付近ではより厚い。本例においては、壁部厚さ寸法のかかる非一定性が、セル７４２の寸法にも影響を及ぼすため、アイソグリッド三角形セルの壁部は、弓状脚部を備え、セル連接部７４３などのセル連接部を囲むセルによって画定される六角形形状は、弓状および／または円形状となる。他の例においては、壁部厚さ寸法は、それらの各長さの中央付近においてより厚くなることによって、およびその各長さ方向端部付近においてより薄くなることによってなど、別様に変化することが可能である。
【００３５】
図８は、セル格子８４０の一部分を示す。いくつかの例においては、セル格子８４０は、セル格子２４０（図１〜図４、図６）および／またはセル格子７４０（図７）と同様であることが可能である。セル格子８４０は、フェースプレート１００（図１〜図４、図６）に関連して上述したように、それぞれ内方板２１０および／または外方板１２０と同様であり得る板８１０と８２０との間に位置する。セル格子８４０は、壁部２４１およびセル２４２（図１〜図４、図６）と、および／または壁部７４１およびセル７４２（図７）とそれぞれ同様である、壁部８４１およびセル８４２を備える。壁部８４１は、本実施形態においては非一定の壁部寸法を有する。一例としては、壁部８４１１の壁部厚さ寸法は、その高さに沿って変化し、壁部厚さは、その高さの中央付近ではより薄く、その高さの端部付近ではより厚い。本例においては、壁部厚さ寸法のかかる非一定性が、セル８４２の寸法にやはり影響を及ぼし、したがって、セル８４２は、より大きな容積および弓状寸法を有し得る。他の例においては、壁部厚さ寸法は、それらの各高さの中央付近においてより厚いことによって、およびそれらの各高さ方向端部付近においてより薄いことによってなど、別様に変化することが可能である。
【００３６】
図が飛ぶが、図１１は、非一定壁部寸法を有するセル格子１１４０の一部分を示す。いくつかの例においては、セル格子１１４０は、セル格子２４０（図１〜図４、図６）、セル格子７４０（図７）、および／またはセル格子８４０（図８）と同様であることが可能である。セル格子１１４０は、フェースプレート１００（図１〜図４、図６）に関連して上述したように、それぞれ内方板２１０および／または外方板１２０と同様であり得る板１１１０と１１２０との間に位置する。セル格子１１４０は、壁部２４１およびセル２４２（図１〜図４、図６）と、壁部７４１およびセル７４２（図７）と、および／または壁部８４１およびセル８４２（図８）とそれぞれ同様である、壁部１１４１およびセル１１４２を備える。また、壁部１１４１は、本実施形態においては非一定の壁部寸法を有し、板１１１０と板１１２０との間の厚さがテーパ状となる。一例としては、壁部１１４１１が、板１１２０に向かってはより厚くなり、板１１１０に向かってはより薄い厚さへと縮小する。これと同じまたは他の例においては、板１１２０は、フェースプレートの外側表面を備えるように構成され、壁部１１４１のより厚い部分が、フェースプレートの衝突表面の方向を向く。しかし、壁部１１４１のより薄い部分が、フェースプレートの衝突表面の方向を向く他の実施形態も存在し得る。
【００３７】
図面を遡るが、図９は、セル格子９４０の一部分を図示する。いくつかの例においては、セル格子９４０は、セル格子２４０（図１〜図４、図６）セル格子７４０（図７）、セル格子８４０（図８）、および／またはセル格子１１４０（図１１）と同様であることが可能である。セル格子９４０は、フェースプレート１００（図１〜図４、図６）に関連して上述したように、それぞれ内方板２１０および／または外方板１２０と同様であり得る板９１０と９２０との間に位置する。セル格子９４０は、セル２４２（図１〜図４、図６）と、セル７４２（図７）と、セル８４２（図８）と、および／またはセル１１４２（図１１）とそれぞれ同様であり得るセル９４２を備える。セル９４２は、本例において、相互にオフセットされる。例えば、セル９４２１はセル９４２２からオフセットされ、セル９４２２はセル９４２３からオフセットされる。さらに、本例においては、中間部層９３１〜９３３は、セル格子９４０を備える中間部９３０を画定する。中間部層９３１〜９３３は、フェースプレート１００の中間部層３３０（図３）に関連して上述したように、中間部層３３０と同様であることが可能であり、共に組み合わされ得る。中間部層９３１〜９３３はそれぞれ、複数の層を備えることが可能であり、これらは後に共に組み合わされて中間部９３０を形成する。本例においては、セル９４２２は、中間部層９３１、９３２、および９３３の中実部分により、少なくとも部分的に覆われるかまたは画定され、セル９４２１は、中間部層９３１および９３２ならびに板９２０の中実部分により、少なくとも部分的に覆われるかまたは画定される。
【００３８】
しかし、他のタイプの幾何学形状、寸法、またはそれらの組合せを有するセル格子を備え得る他の例が可能である。例えば、図１２に飛ぶと、セル格子１２４０は、六角形セル１２４２を画定する壁部１２４１を有するものとして示される。図１３は、ダイヤモンド型セルまたは正方形セル１３４２を画定する壁部１３４１を有するセル格子１３４０を示す。図１４は、丸形セルまたは円形セル１４４２を画成する壁部１４４１を備えるセル格子１４４０を示す。また、中でも五角形セル、八角形セル、三角形セル、およびそれらの組合せなどの他の形状が、これと同じまたは他のセル格子の例において実装され得る。例えば、図１５は、三角形セル１５４３を間に織り交ぜた円形セル１５４２を画定する壁部１５４１を有するセル格子１５４０を示す。
【００３９】
また、セル格子の各セルがサブセルを中に備え得る例も可能である。例えば、セル２４２（図１〜図４、図６）は、いくつかの例においては、セル格子２４０のより大きな六角形セルのサブセルを画定するものとして見なすことが可能である。別の例においては、図１６は、セル１６４２を画定する壁部１６４１を有するセル格子１６４０を示し、セル１６４２のセルサブセット１６５０は、セルサブセット１６５０の各セル内のサブ壁部１６５１により画定されたサブセル１６５２を備える。セルサブセット１６５０等のセルサブセットは、その位置において予想される応力に対する補強するような特定の位置に位置してもよい。いくつかの例においては、かかるセルサブセットは、フェースプレート１００の標的衝突領域１５０（図１）等の、フェースプレートの標的衝突領域にまたはその付近に位置してもよい。セル格子に関するセル、サブセル、形状、および／または寸法の他の組合せが、本明細書において開示されるまたはそれと同様の異なるセル、サブセル、形状、および／または寸法を組み合わせることによって形成されてもよい。
【００４０】
セル格子１２４０（図１２）、１３４０（図１３）、１４４０（図１４）、１５４０（図１５）、１６４０（図１６）、は、いくつかの点において異なることが可能であるが、これらは、セル格子２４０（図１〜図４、図６）、セル格子７４０（図７）、セル格子８４０（図８）、および／またはセル格子１１４０（図１１）のうちの１つまたは複数と他の点では同様であることが可能である。
【００４１】
いくつかの例においては、セル格子のセルの高さは、セルごとに異なってもよい。一例としては、図１７は、セル格子２４０（図１〜図４、図６）と同様のセル格子１７２４０を有するフェースプレート１７１００の断面図を示す。しかし、セル格子１７２４０は、高さが相互に異なるセルを備える。本例においては、セル１７２４２の高さは、セル１７２４６の高さよりも大きく、セル１７２４６の高さは、セル１７２４８の高さよりも大きい。セル格子１７２４０のセルは、本例においては、より大きな応力が予想され得る標的衝突領域１７１５０の中央部に向かって高さが小さくなるように位置決めされる。さらに、標的衝突領域１７１５０の真ん中部分は、本例においてはさらなる補強のためにセル格子１７２４０のいかなるセルも有さない。しかし、他の例は、異なるパターンで高さが変化するセルを有するセル格子を備えてもよい。
【００４２】
図１８は、ゴルフクラブヘッドのフェースプレート１８１００の正面「Ｘ線」透視図を示す。フェースプレート１８１００は、非一定のセル寸法を有するセル格子１８２４０を備える。本例においては、セル格子１８２４０は、標的衝突領域１８１５０の中央に向かってサイズが小さくなるセル１８２４２の格子を備える。これと同じまたは他の例においては、セル格子１８２４０のセル１８２４２同士の間の壁部は、標的衝突領域１８１５０の中央に向かって厚さを大きくすることが可能である。他の例においては、セル１８２４２のサイズおよび／またはセル同士の間の壁部の厚さは、クラウン領域付近、ソール領域付近、ヒール領域付近、および／またはトウ領域付近など、フェースプレート１８１００の別の領域に向かってサイズが大きくするまたは小さくすることが可能である。
【００４３】
これと同じまたは他の例においては、セル１８２４２のサイズは、標的衝突領域１８１５０の中心からの距離に応じて縮小または増大し得る。しかし、他の例においては、セル１８２４２のサイズおよび／または密度は、上部エッジから下部エッジもしくはフェースプレートにかけて増大または縮小することによって、および／またはフェースプレートのヒール端部からトウ端部までにわたり増大または縮小することによって等、フェースプレートの別の特徴に対して変化することが可能である。いくつかの例においては、セル１８２４２は、標的衝突領域１８１５０の中心までの距離が短くなるにつれて、セル間で約１％〜約１０％の間でサイズまたは寸法が縮小し得る。これと同じまたは他の実施形態においては、セル１８２４２同士の間の距離は、標的衝突領域１８１５０の中心までの距離が短くなるにつれて、セル間で約１％〜約１０％の間で増大し得る。また、標的衝突領域１８１５０の中心に対するセル１８２４２のサイズまたは密度の変化は、非線形関数および／または段階関数の様式で変化し得る例も可能である。
【００４４】
セル格子１８２４０のセル１８２４２は、図１８では円形セルとして示されるが、セル１８２４２は、上述の非一定セルサイズの特徴を実現するために使用され得る他の形状、サイズ、または寸法を表すものであることが可能である。例えば、セル格子１８２４０のセルは、代わりに、いくつかの実装形態においては、フェースプレート１８１００の少なくとも一部分にわたりサイズまたは密度を依然として変化させつつ、三角形、六角形、ダイヤモンド形、八角形、五角形、アイソグリッド、および／またはそれらの何らかの組合せなどの他の幾何学形状を有することが可能である。
【００４５】
図１９は、ゴルフクラブヘッドのフェースプレート１９１００の正面図を示す。フェースプレート１９１００は、１つまたは複数のセル格子により種々のセル格子領域１９５００へと細分化される。本例においては、セル格子領域１９５００は、中央格子領域１９５１０および周縁格子領域１９５２０を備え、中央格子領域１９５１０は、フェースプレート１９１００の中央領域に位置し、その外周部の周囲において周縁格子領域１９５２０によって囲まれる。中央格子領域１９５１０は、本例においてはより弾性的な周縁格子領域１９５２０よりもより剛直であることが可能であり、セル格子領域１９５００の弾性は、所望の弾性率範囲を実現するのに適したセルパターン、特徴、および／または寸法を実装することによって微調整され得る。いくつかの例においては、中央格子領域１９５１０を周縁格子領域１９５２０よりも剛直にすることにより、フェースプレートの標的衝突領域に命中しなかったゴルフショットに対するさらなる寛容性を許容し得る。これと同じまたは他の例においては、ゴルフクラブの特性時間（ＣＴ）もまた、セル格子領域１９５００などのフェースプレートの種々の部分の柔軟性または弾性を調節することによって、調節または制御され得る。しかし、中央格子領域１９５１０が周縁格子領域１９５２０よりも剛直である必要がない、および／または、中央格子領域１９５１０および周縁格子領域１９５２０が実質的に同様の剛直性または弾性率を有し得る、他の例も可能である。
【００４６】
いくつかの例においては、中央格子領域１９５１０は、フェースプレート１００の標的衝突領域１５０（図１）と同様もしくは一致するものであってもよく、または本明細書において説明される他のフェースプレートの他の標的衝突領域と同様もしくは一致するものであってもよい。本例においては、セル格子領域１９５００は、本明細書において説明されるセル格子のうちの１つまたは複数を備えるか、または、それらと類似するものであってもよいが、少なくとも１つの特徴に関して相互に異なり得る。一例としては、中央格子領域１９５１０は、アイソグリッドセル格子２４０（図１〜図４、図６）と同様のセル格子を備えていてもよく、周縁格子領域１９５２０は、六角形セル格子１２４０（図１２）と同様のセル格子を備えていてもよい。別の例としては、中央格子領域１９５１０は、円形セル格子１４４０（図１４）と同様のセル格子を備えていてもよく、周縁格子領域１９５２０は、多形状セル格子１５４０（図１５）と同様のセル格子を備えていてもよい。さらに別の例としては、セル格子領域１９５００のいくつかのセルが、サブセルおよび／またはサブ壁部を備えていてもよい。例えば、中央格子領域１９５１０のセルは、セルサブセット１６５０（図１６）と同様のサブセルおよびサブ壁部を備えていてもよく、周縁格子領域１９５２０のセルは、サブセルまたはサブ壁部を備える必要はない。これと同じまたは他の例においては、セル格子領域１９５００は、それぞれ異なる高さのセルを備えていてもよい。例えば、中央格子領域１９５１０は、図１７の標的衝突領域１７１５０のセルなどの、低い高さのセルを備えていてもよく、周縁格子領域１９５２０は、周縁格子領域１９５２０のセルよりも高いセルを備えていてもよい。これと同じまたは他の例においては、中央格子領域１９５１０は、周縁格子領域１９５２０のセルにより囲まれるが、セルを部分的にまたは全く有さなくてもよい。
【００４７】
図２０は、ゴルフクラブヘッドのフェースプレート２０１００の正面図を示す。フェースプレート２０１００は、１つまたは複数の格子を有する種々のセル格子領域２０５００へと細分化される。本例においては、セル格子領域２０５００は、中央格子領域２０５１０および周縁格子領域２０５２０を備え、周縁格子領域２０５２０は、ヒール格子領域２０５２１およびトウ格子領域２０５２２を備える。中央格子領域２０５１０は、フェースプレート２０１００の中央領域に位置し、周縁格子領域２０５２０により少なくとも部分的に囲まれる。セル格子領域２０５００は、本明細書において説明されるセル格子のうちの１つまたは複数を備えるかまたはそれらと類似するものであることが可能であるが、剛性、弾性、および／または備えるセル格子のタイプに関してなど、少なくとも１つの特徴に関して相互に異なり得る。一例としては、中央格子領域２０５１０は、フェースプレート２０１００の上端部および下端部の方向に延在し、他の点では中央格子領域１９５１０（図１９）と同様であってもよく、周縁格子領域２０５２０は、周縁格子領域１９５２０（図１９）と同様であってもよい。本例においては、周縁格子領域２０５２０のセル格子は、相互に同様であることが可能であるが、かかるセル格子が相互に異なり得る他の例も可能である。
【００４８】
本例においては、中央格子領域２０５１０は、ヒール格子領域２０５２１およびトウ格子領域２０５２２よりも剛性が高く、格子領域２０５２１の剛性およびトウ格子領域２０５２２の剛性は、相互に同様であってもよい。しかし、ヒール格子領域２０５２１の剛性がトウ格子領域２０５２２の剛性よりも高くてもよく、またはその逆となり得る例であってもよい。フェースプレート２０１００の種々の領域について、かかる種々の剛性オプションを確立することが可能であることにより、例えば、スイング時のゴルフシャフト軸を中心としたクラブヘッド回転により誘発されるようなフェースプレート間におけるクラブヘッド速度の差異に起因するボール速度の最適化、平均衝突位置における付勢の相殺、および／またはクラブヘッドの標的衝突領域の形状もしくは位置の微調整などが可能となり得る。さらに、セル格子領域２０５００は、本例においては１つまたは複数の境界チャネル２０６００により相互に離間される。境界チャネル２０６００は、中にセル格子を有さないが、境界チャネル２０６００が、本明細書において説明されるセル格子のうちの１つまたは複数と同様のセル格子を備え得る例もまた可能である。しかし、他の例においては、フェースプレート２０１００は、セル格子領域２０５００同士が相互に接触するまたは組み合わされるように、境界チャネル２０６００を有さないことも可能である。
【００４９】
図２１は、ゴルフクラブヘッドのフェースプレート２１１００の正面図を示す。フェースプレート２１１００は、１つまたは複数のセル格子により、種々のセル格子領域２１５００へと細分化される。本例においては、セル格子領域２１５００は、中央格子領域２１５１０および周縁格子領域２１５２０を備え、周縁格子領域２１５２０は、ヒール格子領域２１５２１、トウ格子領域２１５２２、上部格子領域２１５２３、および下部格子領域２１５２４を備える。中央格子領域２１５１０は、フェースプレート２１１００の中央格子領域に位置し、周縁格子領域２１５２０により少なくとも部分的に囲まれる。セル格子領域２１５００は、本明細書において説明されるセル格子のうちの１つまたは複数を備えるかまたはそれらと類似するものであることが可能であるが、剛性、弾性、および／または、備えるセル格子のタイプに関してなど、少なくとも１つの特徴に関して相互に異なり得る。一例としては、中央格子領域２０５１０は、中央格子領域１９５１０（図１９）、および／または、中央格子領域２０５１０（図２０）と同様であってもよい。周縁格子領域２１５２０は、周縁格子領域１９５２０（図１９）、および／または、周縁格子領域２０５２０（図２０）と同様であってもよい。本例においては、周縁格子領域２１５２０により構成されるセル格子同士が、相互に異なる。例えば、上部格子領域２１５２３のセル格子および下部格子領域２１５２４のセル格子は、ヒール格子領域２１５２１のセル格子およびトウ格子領域２１５２２のセル格子とは異なる。これと同じまたは他の例においては、上部格子領域２１５２３のセル格子は、下部格子領域２１５２４のセル格子と同様であてもよく、トウ格子領域２１５２２のセル格子は、ヒール格子領域２１５２１のセル格子と同様であってもよい。しかし、他の例においては、上部格子領域２１５２３、下部格子領域２１５２４、トウ格子領域２１５２２、および、ヒール格子領域２１５２１のそれぞれのセル格子が全て、相互に同様であってもよい。
【００５０】
本例においては、中央格子領域２１５１０は、周縁格子領域２１５２０よりも剛性が高くてもよい。周縁格子領域２１５２０の剛性は、実施形態次第で、相互に同様、または、相互に異なっていてもよい。例えば、上部格子領域２１５２３の剛直性および下部格子領域２１５２４の剛性は、ヒール格子領域２１５２１の剛性およびトウ格子領域２１５２２の剛性より高くてもよく、またはその逆であってもよい。また、各周縁格子領域２１５２０が異なる剛性を有し得る例も可能である。フェースプレート２１１００の種々の領域についてかかるそれぞれ異なる剛性オプションを確立することが可能であることにより、フェースプレート２０１００に関連して、上述したものと同様の利点に関してさらなる代替的利点がもたらされ得る。本例においては、セル格子領域２１５００は、境界チャネル２０６００（図２０）と同様であることが可能な、１つまたは複数の境界チャネル２１６００によって相互から離間される。
【００５１】
図２２は、ゴルフクラブヘッドのフェースプレート２２１００の正面図を示す。フェースプレート２２１００は、１つまたは複数のセル格子を有する種々のセル格子領域２２５００へと細分化される。本例においては、セル格子領域２２５００は、中央格子領域２２５１０および周縁格子領域２２５２０を備え、周縁格子領域２２５２０は、上部ヒール格子領域２２５２１、上部トウ格子領域２２５２２、下部トウ格子領域２２５２３、および下部ヒール格子領域２２５２４を備える。中央格子領域２２５１０は、フェースプレート２１１００の中央領域に位置し、周縁格子領域２２５２０により少なくとも部分的に囲まれる。セル格子領域２２５００は、本明細書において説明されるセル格子のうちの１つまたは複数を備えるか、またはそれらと類似するものであってもよいが、剛性、弾性、および／または備えるセル格子のタイプに関してなど、少なくとも１つの特徴に関して相互に異なり得る。いくつかの例においては、中央格子領域２２５１０は、中央格子領域２１５１０（図２１）と同様であってもよく、周縁格子領域２２５２０は、周縁格子領域２１５２０と同様であってもよいが、フェースプレート２２１００内における位置に関して変更され得る。一例においては、上部ヒール格子領域２２５２１のおよび上部トウ格子領域２２５２２の剛性および／またはセル格子が、下部ヒール格子領域２２５２４のおよび下部トウ格子領域２２５２３の剛性および／またはセル格子と異なり得る。別の例においては、上部トウ格子領域２２５２２、および下部トウ格子領域２２５２３の剛性および／またはセル格子が、上部ヒール格子領域２２５２１、および下部ヒール格子領域２２５２４の剛性および／またはセル格子と異なり得る。また、各周縁格子領域２２５２０の剛性および／またはセル格子が、相互に異なる実施形態も可能である。フェースプレート２２１００の種々の領域について、かかるそれぞれ異なる剛性オプションを確立することが可能であることにより、フェースプレート２０１００および／または２１１００に関連して上述した利点と同様の利点に関して、さらなる代替的利点がもたらされ得る。本例においては、セル格子領域２２５００は、境界チャネル２０６００（図２０）と同様であることが可能な１つまたは複数の境界チャネル２２６００により、相互に離間される。
【００５２】
図面を遡ると、図１０は、ゴルフクラブヘッド用のフェースプレートを提供するための方法１００００のフローチャートを示す。いくつかの実施形態においては、フェースプレートは、フェースプレート１００（図１〜図４、図６）と、および／または、図７〜図９、図１１、および／または図１２〜図１１に関連して説明したものなどの１つまたは複数のセル格子を備えるフェースプレートと、同様であることが可能である。
【００５３】
方法１００００のブロック１０１００は、フェースプレートの内方板を提供することを含む。方法１００００のブロック１０２００は、フェースプレートの外方板を提供することを含む。いくつかの例においては、ブロック１０１００の内方板は、内方板２１０と同様であることが可能であり、ブロック１０２００の外方板は、外方板１２０（図２〜図３）と同様であることが可能である。これと同じまたは他の例においては、ブロック１０１００は、内方板の第１の内方板層および第２の内方板層を提供することを含んでもよく、かかる第１の内方板層および第２の内方板層は、内方板層３１０（図３）と同様であってもよい。これと同じまたは他の例においては、ブロック１０２００は、外方板の第１の外方板層および第２の外方板層を提供することを含んでもよく、かかる第１の外方板層および第２の外方板層は、外方板層３２０（図３）と同様であってもよい。
【００５４】
方法１００００のブロック１０３００は、フェースプレートの中間部を提供することを含む。いくつかの例においては、中間部は、中間部２３０（図１〜図４、図６）および／または中間部９３０（図９）と同様であることが可能である。これと同じまたは他の例においては、ブロック１０３００は、ブロック１０３００の中間部の第１の中間部層および第２の中間部層を提供するためのサブブロック１０３１０を含むことが可能である。第１の中間部層および第２の中間部層が中間部層３３０（図３）と同様であり得る例も可能である。本例においては、ブロック１０１００の内方板、ブロック１０２００の外方板、およびブロック１０３００の中間部は、別個の異なる部分として提供されるが、これらのうちの２つが既に共に合体された状態で提供され得る他の実施形態が可能である。
【００５５】
いくつかの例においては、ブロック１０３００は、中間部内にセル格子を形成するためのサブブロック１０３２０をさらに含んでいてもよい。このセル格子は、複数のセルを画定する複数の壁部を備える。いくつかの例においては、セル格子は、中間部２３０のセル格子２４０（図２〜図６）と、セル格子７４０（図７）、８４０（図８）、９４０（図９）、１１４０（図１１）、１２４０（図１２）、１３４０（図１３）、１４４０（図１４）、１５４０（図１５）、１６４０（図１６）、１７２４０（図１７）、および／または１８２４０（図１８）のうちの１つまたは複数と、フェースプレート１９１００（図１９）、２０１００（図２０）、２１１００（図２１）、および／または２２１００（図２２）のセル格子領域により構成されるセル格子のうちの１つまたは複数と、および／または本明細書において説明されるセル格子と同様の他のセル格子変形例と、同様であってもよい。
【００５６】
サブブロック１０３２０は、第１の中間部層を貫通するセル格子の第１の格子パターンを形成するためのサブブロック１０３２１、および／または第２の中間部層を貫通するセル格子の第２の格子パターンを形成するためのサブブロック１０３２２を含んでもよい。いくつかの例においては、サブブロック１０３２１の第１の格子パターンは、中間部層３３１を貫通するセル格子パターン３４１（図３〜図４）と同様であることが可能である。これと同じまたは他の例においては、サブブロック１０３２２の第２の格子パターンは、中間部層３３２の格子パターン２４２（図３）などの、別の中間部層の別の格子パターンと同様であってもよい。また、サブブロック１０３２１〜１０３２２の第１の格子パターンおよび第２の格子パターンが、図７〜図９または図１１〜図２２のセル格子の格子パターンと、および／または本明細書において説明されるセル格子と同様の他のセル格子変形例と、一致する例があってもよい。
【００５７】
サブブロック１０３２１は、第１の中間部層を貫通する第１の切欠部を形成することを含んでもよく、第１の切欠部は、セル格子の第１のセルの第１の容積部分を画定するように構成される。同様に、サブブロック１０３２２は、第２の中間部層を貫通する第２の切欠部を形成することを含んでもよく、第２の切欠部は、セル格子の第１のセルの第２の容積部分を画定するように構成される。一例としては、第１の切欠部は、中間部層３３１を貫通する切欠部３４２（図３）と同様であってもよく、第２の切欠部は、中間部層３３２を貫通する切欠部３４３（図３）と同様であることが可能であり、これにより、サブブロック１０４１１（下方に図示）などによって中間部層３３０同士が共に結合された場合に、切欠部３４２および３４３により画定された容積同士は、合体することによってセル格子２４０のセルの容積の少なくとも一部を画定する。サブブロック１０３２２が、異なる半径、異なる外周長、異なる面積、または異なる容積など、第１の切欠部とは異なる寸法を有するように第２の切欠部を形成することを含み得る例も可能である。したがって、第１の切欠部および第２の切欠部は、相互に同等である必要はなく、そのため、セル格子のセルの容積および／または形状に対して所望の特徴をさらに画定する自由度が高まる。
【００５８】
いくつかの例においては、ブロック１０３２０においてセル格子を形成することは、第１の切欠部および第２の切欠部が、セル格子２４０のセルの第１のセル軸を中心として配置されるように、第１の中間部層の上に第２の中間部層を位置合わせすることを含むことが可能である。一例としては、図３〜図４に関連して上述したように、中間部層３００は、各位置合わせ要素３５１〜３５４を備え、中間部層３００のスタック全体にわたり、各位置合わせ要素３５１〜３５４を位置合わせすることによって、相互に位置合わせされ得る。したがって、層３３１の切欠部３４２および層３３２の切欠部３４３は、セル軸３５０を中心として配置されることにより、最終的には、相互に対して位置合わせされた状態となる。この場合に、セル軸３５０は、中間部２３０中のセル格子２４０のセルを画定する層３３０の積層された切欠部中を貫通する。いくつかの例においては、位置合わせ要素は、対応する形状および／または位置取りにより、位置合わせのために相互に合致し得る、穴および／またはくぼみ部などの特徴部を備えていてもよい。図３〜図４の例に関して、位置合わせ要素３５１〜３５４は、相互にオフセットされることにより、単一の配向のみにおいて層３００の隣接し合う層を位置合わせすることが可能となる。
【００５９】
また、中間部の積層された層の全ての切欠部が、セル軸を中心として配置されて、相互に位置合わせされる必要はない例も可能である。いくつかの実施形態においては、セル格子の切欠部および／またはセルは、相互にオフセットされてもよい。例えば、ブロック１０３２１において、第１の格子パターンを形成することは、第１のセルの第１の容積部分を画定するために、第１の中間部層を貫通する第１の切欠部を形成することを含んでいてもよく、第２の格子パターンブロック１０３２２を形成することは、セル格子の第２のセルの第２の容積部分を画定するために、第２の中間部層を貫通する第２の切欠部を形成することを含んでいてもよい。これと同じまたは他の例においては、第２のセルは、第１の中間部層および／またはセル外方板の中実部分により、少なくとも部分的に覆われるかまたは画定され得る、および／または、第１のセルは、第２の中間部層および／または内方板の中実部分により少なくとも部分的に覆われるかまたは画定され得る。例えば、図９に示すように、中間部層９３１〜９３３は、セル９４２１、９４２２、および９４２３が相互にオフセットされて、セル９４２１が層９３２の中実部分９３２１により、少なくとも部分的に覆われるかまたは画定され、セル９４２２が層９３１の中実部分９３１１により、少なくとも部分的に覆われるかまたは画定されるように、相互に対して位置合わせおよび積層され得る。中間部９３０は、図９においては単純化のために層９３１〜９３３として示されるが、層９３１〜９３３は、それぞれ、これと同じまたは他の実施形態においては共に積層された複数の中間部層に相当し得る。
【００６０】
方法１００００のブロック１０４００は、ブロック１０１００の内方板とブロック１０２００の外方板との間で、ブロック１０３００の中間部を結合することを含む。いくつかの例においては、中間部は、ブロック１０１００の内方板に対して結合された内方中間部端部と、ブロック１０２００の外方板に対して結合された外方中間部端部と、を備えてもよく、中間部は、それらの間に「挟まれる」。これと同じまたは他の例においては、ブロック１０４００は、接着剤または固定具を用いることなく、内方板、中間部、および外方板を共に組み合わせて、単一の一体材料片にするためのサブブロック１０４１０を含むことが可能である。例えば、内方板、中間部、および外方板は、拡散接合工程等の、図２〜図３に関連して上述したような高熱および高圧工程により、共に組み合わされてもよい。サブブロック１０４１０が、単一の一体材料片が内方板と中間部との間、および、中間部と外方板との間においてシームレスになるように実施され得る実施形態が可能である。これと同じまたは他の例においては、サブブロック１０４１０は、第１の中間部層および第２の中間部層を、単一の材料片へと共に一体的に組み合わせるためのサブブロック１０４１１を含むことが可能である。一例としては、サブブロック１０４１１は、上述のように中間部層３３０（図３）を共に組み合わせることを含んでいてもよい。これと同じまたは他の例においては、サブブロック１０４１０は、内方板層３１０（図３）同士を共に組み合わせて、および／または外方板層３２０（図３）同士を共に組み合わせて、フェースプレート用の単一の材料片にすることをさらに含んでいてもよい。
【００６１】
内方板と中間部と外方板との間の、および／またはそれらの各層同士の間の、かかるシームレスな組合せおよび単一片組合せは、この組合せが分子レベルで生じる場合に可能となる。例えば、内方板、中間部、および外方板はいずれも、同一の金属材料を含むように提供することが可能であり、かかる材料は、拡散接合工程によってなど、高熱および高圧工程に対してさらされた場合に、分子レベルでフェースプレートの種々の部分を組み合わせるのに適するように選択され得る。いくつかの例においては、金属材料は、上述のような金属合金を含むことが可能であり、分子レベルでの組合せは、金属材料の結晶構造を活用することにより、フェースプレート用の単一の材料片を生成するための一体接合を実現することが可能である。一例としては、内方板は、ブロック１０１００において、αタイプ構造の第１の結晶構造を備えるように提供されてもよく、外方板は、ブロック１０２００において、αタイプ構造の第２の結晶構造を備えるように提供されてもよく、中間部は、ブロック１０３００において、αタイプ構造の中間部結晶構造を備えるように提供されてもよい。次いで、ブロック１０４００で、内方板の第１の結晶構造、外方板の第２の結晶構造、および中間部の中間部結晶構造が、βタイプ結晶構造へと変態されて、中間部結晶構造が第１の結晶構造と相互に結合し、中間部結晶構造が第２の結晶構造と相互に結合し得る。いくつかの例においては、αタイプ構造は、六角形結晶相を備えることが可能であり、βタイプ構造は、体心立方結晶相を備えることが可能である。
【００６２】
方法１００００のブロック１０５００は、オプションであってもよく、ゴルフクラブヘッドの前端部に対して、フェースプレートを結合することを含む。いくつかの例においては、ゴルフクラブヘッドは、図１に示すようなゴルフクラブヘッド１０と同様のものであってもよい。フェースプレートは、フェースプレートエッジ１０１（図１〜図２）などのフェースプレートエッジを、ゴルフクラブヘッドの前面の開口に対して嵌め合わせることにより結合され得る。いくつかの例においては、かかる嵌め合わせは、溶接工程および／またはろう付け工程により実現され得る。
【００６３】
いくつかの例においては、サブブロック１０３２０において形成されるような、中間部のセル格子は、中間部の中央中間部領域に位置することが可能であって、中央中間部領域を囲む中間部の周縁中間部領域は、セル格子および／またはセルを有さなくてもよい。一例としては、周縁中間部領域は、セル格子２４０（図１〜図４）を備える中間部２３０の中央領域を囲む中間部２３０の周縁中間部領域２３２と同様であることが可能である。いくつかの実施形態においては、周縁中間部領域２３０は、中央中間部領域内のセル格子２４０を、フェースプレートエッジ１０１から少なくとも約０．１インチ（２．５４ｍｍ）だけ離間させ得る。
【００６４】
これと同じまたは他の例においては、ブロック１０５００において、フェースプレートを結合することが、内方板周縁領域２１２（図２）に対してなど、ブロック１０１００の内方板の内方板周縁領域に対して、または外方板周縁領域２２２（図２）に対してなど、ブロック１０２００の外方板の外方板周縁領域に対して、またはそれらの両方に対して、ゴルフクラブヘッドの前方端部を結合することを含んでいてもよい。例えば、内方板周縁領域および／または外方板周縁領域は、中間部中央領域のセル格子に接触しないようになど、上述の周縁中間部領域と位置合わせされ得る。しかし、セル格子が、フェースプレートの中間部領域の全体にわたり延在することにより、内方板周縁領域および外方板周縁領域が、セル格子に接触し得る、他の例も可能である。
【００６５】
ブロック１０３２０において形成されるセル格子は、複数の特徴のうちの１つまたは複数を備えることが可能である。例えば、セル格子の複数のセルが、図４および図６〜図７において、セル格子２４０に関連して示されるものなどの六角形パターンで形成され得る。これと同じまたは他の例においては、セル格子は、セル格子２４０および７４０に関連してやはり示されるようなアイソグリッドパターンで形成され得る。セル格子は、これと同じまたは他の例においては、複数の壁部のうちの２つ以上が共に結合される複数のセル連接部を備えていてもよい。例えば、セル連接部は、セル連接部４４３（図４、図６）と、および／またはセル連接部７４３（図７）と同様であってもよい。セル連接部のうちの１つまたは複数は、図６に示すような内方中間部端部２４５から外方中間部端部２４６までにわたりセル連接部４４３を貫通して延在する連接部チャネル４４３１など、中間部の内方中間部端部から外方中間部端部までにわたり延在する連接部チャネルを備えてもよい。
【００６６】
続いて、ブロック１０３２０におけるセル格子に関する複数の特徴のうちの１つまたは複数の例に関しては、セル格子を形成することが、非一定の寸法を有するようにセル格子の１つまたは複数の壁部を形成することを含み得るような実施形態も可能である。一例としては、セル格子は、非一定の長さ方向厚さ寸法を有する壁部７４１（図７）のうちの１つなどの、および／または非一定の深さ方向厚さ寸法を有する壁部８４１および／または１１４１（図８および図１１）のうちの１つなどの、壁部を備えていてもよい。これと同じまたは他の例においては、セル格子を形成することは、漸減密度パターンでおよび／または漸減サイズパターンで、複数のセルを形成することを含んでいてもよい。例えば、漸減サイズパターンにおいては、複数のセルは、図１７〜図１８に関連して示し説明したように、フェースプレートの標的衝突領域に向かってサイズまたは寸法が小さくなり得る。漸減密度パターンにおいては、複数のセルは、フェースプレートの標的衝突領域に向かって密度が低くなり得る。
【００６７】
これと同じまたは他の例においては、セル格子は、セル格子の隣接し合うセル同士の間に、１つまたは複数の横方向通路を備えていてもよい。一例としては、セル格子は、図６に示すような横方向通路を備えていてもよく、横方向通路６４４は、セル２４２の隣接し合うセル同士の間で壁部６４１１を貫通する。これと同じまたは他の例においては、横方向通路の形成は、例えば中間部２３０の積層形成（図１〜図４、図６）などにより、容易化することが可能であり、横方向通路６４４などの横方向通路の特徴は、ブロック１０３００において、ブロック１０４００の実施前の各中間部層３３０に対して形成され得る。
【００６８】
また、単一のフェースプレートが、図１９〜図２２に関連して説明されるように、複数のセル格子領域を備え得る例も可能である。いくつかの例においては、複数のセル格子領域のうちのセル格子領域同士は、相互に同様であってもよい。他の例においては、複数のセル格子領域のうちの２つ以上のセル格子領域は、剛性、弾性、および／または備えるセル格子のタイプに関してなど、少なくとも１つの特徴に関して相互に異なっていてもよい。
【００６９】
いくつかの例においては、方法１００００の種々のブロックのうちの１つまたは複数は、単一ブロックに結合されるか、もしくは同時に実行され得る、および／または、かかるブロックの順序が変更され得る。例えば、ブロック１０１００の内方板は、ブロック１０３００の中間部と同時に提供されてもよく、および／または、ブロック１０２００の外方板は、ブロック１０３００の中間部と同時に提供されてもよい。別の例としては、サブブロック１０３２１および１０３２２の順序は変更され得る。
【００７０】
これと同じまたは他の例においては、方法１００００のブロックのいくつかが、いくつかのサブブロックへと細分され得る。例えば、ブロック１０５００は、ゴルフクラブヘッドの前方端部に対してフェースプレートを固定するためのサブブロックと、フェースプレートおよび／またはゴルフクラブヘッドの前方端部との連接部を研磨するための別のサブブロックとを含んでもよい。また、方法１００００がさらなる、または異なるブロックを含み得る例も可能である。加えて、方法１００００が上述のステップの一部のみを含み得る例も存在し得る。例えば、ブロック１０５００は、いくつかの例においてはオプションであってもよい。他の変形例は、本開示の範囲から逸脱することなく、方法１００００に対して実装され得る。
【００７１】
本明細書においては、内部セル格子を有するゴルフクラブフェースプレートと、それに関連する方法とを、具体的な実施形態を参照として説明したが、本開示の趣旨または範囲から逸脱することなく様々な変更を行い得る。例えば、ゴルフクラブヘッド１０は、図１においてはドライバクラブヘッドとして示されるが、本明細書の開示は、フェアウェイウッド、ハイブリッド、ならびにさらにはパターおよびアイアンなどの内部空洞を有さないクラブヘッドなどの、他のタイプのゴルフクラブヘッドにも適用可能である。かかる変更の追加的な例は、前述の説明に示されている。様々な図の特徴のうちの１つまたは複数を有する種々の実施形態の他の置き換えも、同様に企図される。したがって、本明細書においては、明細書、特許請求の範囲、および図面は、本開示の範囲を例示するものとして意図され、限定的なものとしては意図されない。本出願の範囲は、添付の特許請求の範囲が要求する範囲にのみに限定されるように意図される。
【００７２】
本明細書に論じられる内部セル格子を有するゴルフクラブフェースプレートと、それに関連する方法とは、様々な実施形態において実装することができ、これらの実施形態のうちのいくつかに関する前述の論議は、全ての可能な実施形態の完全な説明には必ずしも相当しない。むしろ、図面の詳細な説明および図面自体は、少なくとも１つの好ましい実施形態を開示しており、代替的な実施形態を開示する場合がある。
【００７３】
任意の特定の請求項において列挙される全ての要素が、その特定の請求項において列挙される実施形態にとって必須のものとなる。その結果、１つまたは複数の列挙される要素の置換は、再構築を構成するものとなり、修復とはならない。さらに、利益、他の利点、および問題の解決策を、具体的な実施形態に関連して説明した。しかし、これらの利益、利点、問題の解決策、ならびに、任意の利益、利点、もしくは解決策を行い得るまたはより顕著なものにさせ得る任意の１つまたは複数の要素は、かかる利益、利点、解決策、または要素がかかる特許請求の範囲において明示されない限りは、特許請求の範囲のいずれかまたは全ての重要な、必要な、もしくは必須の特徴または要素として見なすべきではない。
【００７４】
ゴルフのルールが、時折変更され得る（例えば全米ゴルフ協会（ＵＳＧＡ）、英国ゴルフ協会（Ｒ＆Ａ）、等々のゴルフ基準決定機関および／または監督機関により、新たなレギュレーションが採用される場合がある、または旧式ルールが排除されるもしくは変更される場合がある、など）ため、本明細書において説明される装置、方法、および製造物品に関連するゴルフ用具が、任意の特定の時代におけるゴルフのルールに準拠するまたは準拠しない場合がある。したがって、本明細書において説明される装置、方法、および製造物品に関連するゴルフ用具は、準拠するまたは準拠しないゴルフ用具として、宣伝、売出し、および／または販売される場合がある。本明細書において説明される装置、方法、および製造物品は、この点に関して限定されない。
【００７５】
上記の例は、ドライバタイプのゴルフクラブに関連して説明され得るが、本明細書において説明される装置、方法、および製造物品は、フェアウェイウッドタイプのゴルフクラブ、ハイブリッドタイプのゴルフクラブ、アイアンタイプのゴルフクラブ、ウェッジタイプのゴルフクラブ、またはパタータイプのゴルフクラブなどの、他のタイプのゴルフクラブに対しても適用可能であり得る。代替的には、本明細書において説明される装置、方法、および製造物品は、ホッケースティック、テニスラケット、釣竿、スキーポール、等々の、適用可能な他のタイプのスポーツ用具であってもよい。
【００７６】
さらに、本明細書において説明される実施形態および限定は、それらの実施形態および／または限定が、（１）特許請求の範囲において明確には特許請求されないが、（２）均等論の下では特許請求の範囲に明言された要素および／または限定の均等物であるかあるいは潜在的均等物である場合には、共有の原則の下で公有に属するものにはならない。
【図１】
2018126521.tif 000002
【図２】
2018126521.tif 000003
【図３】
2018126521.tif 000004
【図４】
2018126521.tif 000005
【図５】
2018126521.tif 000006
【図６】
2018126521.tif 000007
【図７】
2018126521.tif 000008
【図８】
2018126521.tif 000009
【図９】
2018126521.tif 000010
【図１０】
2018126521.tif 000011
【図１１】
2018126521.tif 000012
【図１２】
2018126521.tif 000013
【図１３】
2018126521.tif 000014
【図１４】
2018126521.tif 000015
【図１５】
2018126521.tif 000016
【図１６】
2018126521.tif 000017
【図１７】
2018126521.tif 000018
【図１８】
2018126521.tif 000019
【図１９】
2018126521.tif 000020
【図２０】
2018126521.tif 000021
【図２１】
2018126521.tif 000022
【図２２】
2018126521.tif 000023
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
内方板と、外方板と、前記内方板と前記外方板との間の中間部と、を備えるフェースプレートと、
前記フェースプレートの前記内方板に対して結合された前記中間部の内方中間部端部と、
前記フェースプレートの前記外方板に対して結合された前記中間部の外方中間部端部と、を備え、
前記中間部は、前記内方板と前記外方板とに囲まれる複数のセルを画定する複数の壁部を備えるセル格子を備え、
前記複数のセルの密度が前記フェースプレートの標的衝突領域に向かって低くなり、
前記内方板、前記外方板、および前記中間部は、少なくとも、チタン８−１−１材料又はチタン６−４材料の１つで構成されている、ゴルフクラブヘッド。
【請求項２】
前記複数のセルは、前記複数のセルのうちの最大セル幅を有する第１のセルを備え、
前記最大セル幅は、前記外方中間部端部に実質的に平行に測定され、
前記セル格子は、前記中間部の中間部中央領域に配置されており、
前記中間部中央領域は、前記中間部の中間部周縁領域によって画定され、前記セル格子を有しておらず、
前記中間部周縁領域は、前記中間部の外側端から前記中間部中央領域までで測定され、少なくとも前記最大セル幅の２倍である中間部周縁幅を備える、請求項１に記載のゴルフクラブヘッド。
【請求項３】
前記複数のセルのうちの１つ以上のセルは、少なくとも六角形、ひし形、三角形、ルーローの三角形の少なくとも１つを備える、請求項１又は２に記載のゴルフクラブヘッド。
【請求項４】
前記複数のセルのうちの第１のセットのセルは、第１の幾何学形状を備え、
前記複数のセルのうちの第２のセットのセルは、前記第１の幾何学形状とは異なる第２の幾何学形状を備え、
前記複数のセルのうちの前記第１のセットのセルは、前記複数のセルのうちの前記第２のセットのセルと織り交ぜて配置されている、請求項１から３のいずれか一項に記載のゴルフクラブヘッド。
【請求項５】
前記セル格子は、前記複数のセルのうちの第１のセル内に１つ以上のサブセルを備え、
前記１つ以上のサブセルは、前記第１のセルの幾何学形状タイプと異なる幾何学形状タイプを有する、請求項１から４のいずれか一項に記載のゴルフクラブヘッド。
【請求項６】
前記セル格子は、アイソグリッドパターンの前記複数のセルを備える、請求項１から５のいずれか一項に記載のゴルフクラブヘッド。
【請求項７】
前記複数の壁部のうちの第１の壁部は、
前記外方中間部端部に実質的に平行に測定される壁部幅と、
前記外方中間部端部に実質的に垂直に測定される壁部厚さと、を備え、
前記壁部厚さは、前記内方中間部端部と前記外方中間部端部との間で変化する、請求項１から６のいずれか一項に記載のゴルフクラブヘッド。
【請求項８】
前記セル格子は、前記複数のセルの寸法が前記フェースプレートの標的衝突領域に向かって減少するパターンの前記複数のセルを備える、請求項１から７のいずれか一項に記載のゴルフクラブヘッド。
【請求項９】
ゴルフクラブヘッドであって、
内方板と、外方板と、前記内方板と前記外方板との間の中間部と、を備えるフェースプレートと、
前記フェースプレートの前記内方板に対して結合された前記中間部の内方中間部端部と、
前記フェースプレートの前記外方板に対して結合された前記中間部の外方中間部端部と、を備え、
前記中間部は、前記内方板と前記外方板とに囲まれる複数のセルを画定する複数の壁部を備えるセル格子を備え、
前記内方板は、内方結晶構造を備え、
前記外方板は、外方結晶構造を備え、
前記中間部は、中間結晶構造を備え、
前記内方結晶構造と前記中間結晶構造とは、βタイプ構造で共に結合され、
前記外方結晶構造と前記中間結晶構造とは、βタイプ構造で共に結合される、ゴルフクラブヘッド。
【請求項１０】
前記セル格子は、前記複数の壁部のうちの２つ以上が共に結合する複数のセル連接部を備え、
前記複数のセル連接部は、前記内方中間部端部から前記外方中間部端部まで延在する第１の連接部チャネルを備える、請求項９に記載のゴルフクラブヘッド。
【請求項１１】
前記第１の連接部チャネルは、約０．２ｍｍから約０．６６ｍｍの第１の連接部チャネル径を備える、請求項１０に記載のゴルフクラブヘッド。
【請求項１２】
前記複数のセルは、前記複数のセルのうちの最大セル幅を有する第１のセルを備え、
前記最大セル幅は、前記外方中間部端部に実質的に平行に測定され、
前記セル格子は、前記中間部の中間部中央領域に配置されており、
前記中間部中央領域は、前記中間部の中間部周縁領域によって画定され、前記セル格子を有しておらず、
前記中間部周縁領域は、前記中間部の外側端から前記中間部中央領域までで測定され、少なくとも前記最大セル幅の２倍である中間部周縁幅を備える、請求項９から１１のいずれか一項に記載のゴルフクラブヘッド。
【請求項１３】
前記複数のセルのうちの１つ以上のセルは、少なくとも六角形、ひし形、三角形、ルーローの三角形の少なくとも１つを備える、請求項９から１２のいずれか一項に記載のゴルフクラブヘッド。
【請求項１４】
前記複数のセルのうちの第１のセットのセルは、第１の幾何学形状を備え、
前記複数のセルのうちの第２のセットのセルは、前記第１の幾何学形状とは異なる第２の幾何学形状を備え、
前記複数のセルのうちの前記第１のセットのセルは、前記複数のセルのうちの前記第２のセットのセルと織り交ぜて配置されている、請求項９から１３のいずれか一項に記載のゴルフクラブヘッド。
【請求項１５】
ゴルフクラブヘッドであって、
内方板と、外方板と、前記内方板と前記外方板との間の中間部と、を備えるフェースプレートと、
前記フェースプレートの前記内方板に対して結合された前記中間部の内方中間部端部と、
前記フェースプレートの前記外方板に対して結合された前記中間部の外方中間部端部と、を備え、
前記中間部は、前記内方板と前記外方板とに囲まれる複数のセルを画定する複数の壁部を備えるセル格子を備え、
前記複数の壁部のうちの第１の壁部は、前記複数のセルのうちの隣接し合うセル同士の間に横方向通路を備える、ゴルフクラブヘッド。
【請求項１６】
前記セル格子は、前記複数のセルのうちの第１のセル内に１つ以上のサブセルを備え、
前記１つ以上のサブセルは、前記第１のセルの幾何学形状タイプと異なる幾何学形状タイプを有する、請求項１５に記載のゴルフクラブヘッド。
【請求項１７】
前記セル格子は、アイソグリッドパターンの前記複数のセルを備える、請求項１５又は１６に記載のゴルフクラブヘッド。
【請求項１８】
前記複数の壁部のうちの第１の壁部は、
前記外方中間部端部に実質的に平行に測定される壁部幅と、
前記外方中間部端部に実質的に垂直に測定される壁部厚さと、を備え、
前記壁部厚さは、前記内方中間部端部と前記外方中間部端部との間で変化する、請求項１５から１７のいずれか一項に記載のゴルフクラブヘッド。
【請求項１９】
前記セル格子は、前記複数のセルの密度が前記フェースプレートの標的衝突領域に向かって減少するパターンの前記複数のセルを備える、請求項１５から１８のいずれか一項に記載のゴルフクラブヘッド。
【請求項２０】
ゴルフクラブヘッドであって、
内方板と、外方板と、前記内方板と前記外方板との間の中間部と、を備えるフェースプレートと、
前記フェースプレートの前記内方板に対して結合された前記中間部の内方中間部端部と、
前記フェースプレートの前記外方板に対して結合された前記中間部の外方中間部端部と、を備え、
前記中間部は、前記内方板と前記外方板とに囲まれる複数のセルを画定する複数の壁部を備えるセル格子を備え、
前記複数の壁部のうちの第１の壁部は、
前記外方中間部端部に実質的に平行に測定される壁部幅と、
前記外方中間部端部に実質的に垂直に測定される壁部厚さと、を備え、
前記壁部厚さは、前記内方中間部端部と前記外方中間部端部との間で変化し、
前記内方板、前記外方板、および前記中間部は、少なくとも、チタン８−１−１材料又はチタン６−４材料の１つで構成されている、ゴルフクラブヘッド。
【手続補正２】
【補正対象書類名】明細書
【補正対象項目名】００７６
【補正方法】変更
【補正の内容】
【００７６】
さらに、本明細書において説明される実施形態および限定は、それらの実施形態および／または限定が、（１）特許請求の範囲において明確には特許請求されないが、（２）均等論の下では特許請求の範囲に明言された要素および／または限定の均等物であるかあるいは潜在的均等物である場合には、共有の原則の下で公有に属するものにはならない。
以下に、本実施例の特徴を列挙する。
（特徴１）
ゴルフクラブヘッド用のフェースプレートを提供するための方法であって、
前記フェースプレートの内方板を提供するステップと、
前記フェースプレートの外方板を提供するステップと、
前記フェースプレートの中間部を提供するステップと、
前記内方板と前記外方板との間に前記中間部を囲むステップと、を含み、
前記中間部を提供するステップは、
第１の中間部層および第２の中間部層を備える複数の中間部層を提供するステップと、
前記第１の中間部層を貫通する第１の格子パターンを形成するステップと、
前記第２の中間部層を貫通する第２の格子パターンを形成するステップと、を含み、
前記内方板、前記外方板、および前記中間部層を提供するステップは、
前記中間部、前記内方板、または前記外方板のそれぞれを別個の異なる片として提供するステップを含み、
前記中間部を囲むステップは、
前記第１の中間部層および前記第２の中間部層を含めて、前記内方板、前記中間部、および前記外方板を共に拡散接合して単一の一体材料片にするステップであって、前記単一の一体材料片は、前記内方板と前記中間部との間が、および前記中間部と前記外方板との間が、実質的にシームレスである、ステップを含み、
拡散接合するステップの後に、
前記中間部の中間部中央領域は、セル格子を備え、
前記セル格子は、六角形パターンで複数のセルを画成する複数の壁部を備え、
前記セル格子の前記複数の壁部および前記複数のセルは、前記第１の格子パターンおよび前記第２の格子パターンにより少なくとも部分的に画定され、
前記セル格子は、前記フェースプレートの前記内方板と前記外方板との間で完全に囲まれ、
前記中間部の中間部周縁領域が、前記中間部中央領域を囲み、前記セル格子を有さず、
前記第１の中間部層を貫通する前記第１の格子パターンを形成するステップは、
前記第１の中間部層を貫通する第１の切欠部を形成するステップであって、前記第１の切欠部は、前記セル格子の第１のセルの第１の容積部分を画成するように構成される、ステップを含み、
前記第２の中間部層を貫通する前記第２の格子パターンを形成するステップは、
前記第２の中間部層を貫通する第２の切欠部を形成するステップであって、前記第２の切欠部は、前記第１のセルの第２の容積部分を画成するように構成される、ステップを含み、
前記中間部を囲むステップは、
前記第１の切欠部および前記第２の切欠部が前記第１のセルの第１のセル軸を中心として配置されるように、前記第１の中間部層を覆って前記第２の中間部層を位置合わせするステップを含む、方法。
（特徴２）
前記中間部を囲むステップは、アイソグリッドパターンで前記複数のセルを形成するステップを含み、
前記内方板、前記中間部、および前記外方板を共に拡散接合するステップは、
高圧および高熱工程により、前記内方板と前記中間部と前記外方板との間の界面を共に結合するステップを含み、
前記内方板、前記外方板、および前記中間部を提供するステップは、
αタイプ結晶構造を有するチタン合金をそれぞれが含むように前記中間部、前記内方板、および前記外方板を提供するステップを含み、
前記内方板、前記中間部、および前記外方板を共に拡散接合するステップは、
前記中間部、前記内方板、および前記外方板の前記αタイプ結晶構造をβタイプ結晶構造へと変態させて、前記中間部、前記内方板、および前記外方板を共に結合させるステップであって、
前記αタイプ結晶構造は、六角形結晶相を備え、
前記βタイプ結晶構造は、体心立方結晶相を備える、ステップを含む、特徴１に記載の方法。
（特徴３）
ゴルフクラブヘッド用のフェースプレートを提供するための方法であって、
前記フェースプレートの内方板を提供するステップと、
前記フェースプレートの外方板を提供するステップと、
前記フェースプレートの中間部を提供するステップと、
前記内方板と前記外方板との間で前記中間部を結合するステップであって、
前記中間部の内方中間部端部が前記フェースプレートの前記内方板に対して結合され、
前記中間部の外方中間部端部が前記フェースプレートの前記外方板に対して結合されるように、結合するステップと、を含み、
前記中間部を提供するステップは、
前記中間部内にセル格子を提供するステップであって、前記セル格子は、複数のセルを画成する複数の壁部を備える、ステップを含む、方法。
（特徴４）
前記中間部を結合するステップは、
接着剤または固定具を用いずに、前記内方板、前記中間部、および前記外方板を単一の一体材料片へと共に組み合わせるステップを含む、特徴３に記載の方法。
（特徴５）
前記単一の一体材料片は、前記内方板と前記中間部との間および前記中間部と前記外方板との間において、シームレスである、特徴４に記載の方法。
（特徴６）
前記中間部を結合するステップは、
高圧および高熱工程を使用した拡散接合により、前記内方板、前記中間部、および前記外方板を共に組み合わせるステップを含む、特徴４または５に記載の方法。
（特徴７）
前記中間部層は、金属材料を含み、
前記内方板および前記外方板は、前記金属材料を含む、特徴３から６のいずれか一項に記載の方法。
（特徴８）
前記金属材料は、少なくとも約８％のアルミニウムを含むチタン合金を含む、特徴６または７に記載の方法。
（特徴９）
前記内方板と前記外方板との間で前記中間部を結合するステップの前に、
前記内方板は、αタイプ構造の第１の結晶構造を備え、
前記外方板は、前記αタイプ構造の第２の結晶構造を備え、
前記中間部は、前記αタイプ構造の中間部結晶構造を備え、
前記内方板と前記外方板との間で前記中間部を結合するステップは、
前記第１の結晶構造、前記第２の結晶構造、および前記中間部結晶構造をβタイプ構造へと変態させるステップであって、
前記中間部結晶構造が前記第１の結晶構造と結合され、
前記中間部結晶構造が前記第２の結晶構造と結合されるように、変態させるステップを含む、特徴３から８のいずれか一項に記載の方法。
（特徴１０）
前記セル格子を提供するステップは、
前記内方中間部端部から前記外方中間部端部にかけて延在する前記セル格子を提供するステップを含む、特徴３から９のいずれか一項に記載の方法。
（特徴１１）
前記中間部を提供するステップは、
前記中間部の中間部中央領域内に前記セル格子を形成するステップと、
前記中間部中央領域を囲み、前記セル格子を有さない、前記中間部の中間部周縁領域を提供するステップと、を含む、特徴３から１０のいずれか一項に記載の方法。
（特徴１２）
前記ゴルフクラブヘッドの前方端部に対して前記フェースプレートを結合するステップ
をさらに含み、
前記ゴルフクラブヘッドの前記前方端部に対して前記フェースプレートを結合する前記ステップは、
前記ゴルフクラブヘッドの前記前方端部を、
前記内方板の内方板周縁領域、または
前記外方板の外方板周縁領域
の少なくとも一方に対して結合するステップを含み、
前記内方板周縁領域および前記外方板周縁領域は、前記中間部中央領域において前記セル格子に接触することなく、前記中間部周縁領域に対して結合される、特徴１１に記載の方法。
（特徴１３）
前記セル格子を提供するステップは、六角形形状、ダイヤモンド形状、矩形形状、円形形状、または三角形形状のうちの少なくとも１つを有する複数のセルのうちの１つまたは複数を提供するステップを含む、特徴３からい１２のいずれか一項に記載の方法。
（特徴１４）
前記セル格子を提供するステップは、
前記複数のセルのうちの第１のセットのうちのセルに第１の幾何学形状を与えるステップと、
前記複数のセルのうちの第２のセットのうちのセルに前記前記第１の幾何学形状とは異なる第２の幾何学形状を与えるステップと、
前記複数のセルのうちの前記第２のセットを間に織り交ぜて前記複数のセルの前記第１のセットを提供するステップと、を含む、特徴３から１３のいずれか一項に記載の方法。
（特徴１５）
前記セル格子を提供する前記ステップは、前記複数のセルのうちの１つまたは複数の中に１つまたは複数のサブセルを形成するステップを含む、特徴３から１４のいずれか一項に記載の方法。
（特徴１６）
前記セル格子を形成するステップは、アイソグリッドパターンで前記複数のセルを形成するステップを含む、特徴３から１５のいずれか一項に記載の方法。
（特徴１７）
前記セル格子を提供するステップは、
前記複数の壁部のうちの２つ以上が共に結合する複数のセル連接部を提供するステップと、
前記複数のセル連接部のうちの第１のセル連接部中に第１の連接部チャネルを形成するステップであって、前記第１の連接部チャネルは、前記内方中間部端部から前記外方中間部端部まで延在する、ステップと、を含む、特徴３から１６のいずれか一項に記載の方法。
（特徴１８）
前記セル格子を提供するステップは、
前記複数のセルの隣接し合うセル同士の間に横方向通路を備えるように、前記複数の壁部の第１の壁部を形成するステップを含む、特徴３から１７のいずれか一項に記載の方法。
（特徴１９）
前記セル格子を提供するステップは、
非一定の壁部寸法を有するように前記複数の壁部の第１の壁部を形成するステップを含む、特徴３から１８のいずれか一項に記載の方法。
（特徴２０）
前記セル格子を提供するステップは、
前記複数のセルの密度が前記フェースプレートの標的衝突領域に向かっては低くなり、第１のパターン、または
前記複数のセルのサイズが前記フェースプレートの前記標的衝突領域に向かっては小さくなる、第２のパターン
の少なくとも一方で前記複数のセルを形成するステップを含む、特徴３から１９のいずれか一項に記載の方法。
（特徴２１）
前記中間部を提供するステップは、
第１の中間部層および第２の中間部層を備える複数の中間部層を提供するステップを含み、
前記中間部内に前記セル格子を提供するステップは、
前記第１の中間部層を貫通する前記セル格子の第１の格子パターンを形成するステップと、
前記第２の中間部層を貫通する前記セル格子の第２の格子パターンを形成するステップと、を含み、
前記内方板と前記外方板との間で前記中間部を結合するステップは、
前記第１の中間部層および前記第２の中間部層を単一の材料片へと共に一体的に組み合わせるステップを含む、特徴３から２０のいずれか一項に記載の方法。
（特徴２２）
前記セル格子を提供するステップは、前記複数のセルの第１のセルを形成するステップを含み、
前記第１の中間部層を貫通する前記第１の格子パターンを形成するステップは、
前記第１の中間部層を貫通する第１の切欠部を形成するステップであって、前記第１の切欠部は、前記第１のセルの第１の容積部分を画成するように構成される、ステップを含み、
前記第２の中間部層を貫通する前記第２の格子パターンを形成するステップは、
前記第２の中間部層を貫通する第２の切欠部を形成するステップであって、前記第２の切欠部は、前記第１のセルの第２の容積部分を画成するように構成される、ステップを含む、特徴２１に記載の方法。
（特徴２３）
前記第２の切欠部を形成するステップは、
前記第１の切欠部とは異なる寸法を有するように前記第２の切欠部を形成するステップであって、前記異なる寸法は、異なる半径、異なる外周長、異なる面積、または異なる容積のうちの少なくとも１つを含む、ステップを含む、特徴２２に記載の方法。
（特徴２４）
前記第１の中間部層および前記第２の中間部層を共に組み合わせるステップの前に、
前記セル格子を形成するステップは、
前記第１の切欠部および前記第２の切欠部が前記第１のセルの第１のセル軸を中心として配置されるように、前記第１の中間部層の上に前記第２の中間部層を位置合わせするステップを含む、特徴２２または２３に記載の方法。
（特徴２５）
前記セル格子を提供するステップは、前記複数のセルの第１のセルを形成するステップを含み、
前記第１の中間部層を貫通する前記第１の格子パターンを形成するステップは、
前記第１の中間部層を貫通する第１の切欠部を形成するステップであって、前記第１の切欠部は、前記第１のセルの第１の容積部分を画成するように構成される、ステップを含み、
前記第１の中間部層および前記第２の中間部層を共に組み合わせるステップの前に、
前記第２の中間部層を貫通する前記セル格子の前記第２の格子パターンを形成する前記ステップが、
前記第２の中間部層を貫通する第２の切欠部を形成するステップであって、前記第２の切欠部は、前記セル格子の第２のセルの第２の容積部分を画成するように構成される、ステップを含み、
前記セル格子を提供するステップが、
前記第２の中間部層の上に前記第１の中間部層を位置合わせするステップであって、
前記第１のセルおよび前記第２のセルが相互に対してオフセットされ、
前記第２のセルが前記第１の中間部層の中実部分により少なくとも部分的に覆われ、
前記第１のセルが前記第２の中間部層の中実部分により少なくとも部分的に覆われるように、位置合わせするステップをさらに含む、特徴２１に記載の方法。
（特徴２６）
ゴルフクラブヘッド用のフェースプレートであって、
内方板と、
外方板と、
中間部であって、
前記内方板に対して結合された内方中間部端部、
前記外方板に対して結合された外方中間部端部、および
前記内方中間部端部と前記外方中間部端部との間に複数のセルを画成する複数の壁部を備えるセル格子を備える、中間部と、を備える、フェースプレート。
（特徴２７）
フェースプレート中央領域と、
前記フェースプレート中央領域と前記フェースプレートの外周部との間のフェースプレート周縁領域と、をさらに備え、
前記内方板は、第１の結晶構造を備え、
前記外方板は、第２の結晶構造を備え、
前記中間部は、中間部結晶構造を有する複数の中間部層を備え、
前記内方板、前記外方板、および前記中間部は、前記複数の中間部層と共に、単一の材料片を構成し、
前記中間部は、金属材料を含み、
前記内方板および前記外方板は、前記金属材料を含み、
前記セル格子は、前記フェースプレート周縁領域内に延在することなく、前記フェースプレート中央領域内に位置し、
前記セル格子は、前記複数の壁部により画定された六角形パターンを備える、特徴２６に記載のフェースプレート。
（特徴２８）
前記金属材料は、少なくとも約８％のアルミニウムを含むチタン合金を含み、
前記第１の結晶構造、前記第２の結晶構造、および前記中間部結晶構造は、体心立方結晶相を有するβタイプ構造を備え、
前記セル格子は、前記複数の壁部および前記複数のセルにより画定されるアイソグリッドパターンを備える、特徴２７に記載のフェースプレート。
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
内方板と、外方板と、前記内方板と前記外方板との間の中間部と、を備えるフェースプレートと、
前記フェースプレートの前記内方板に対して結合された前記中間部の内方中間部端部と、
前記フェースプレートの前記外方板に対して結合された前記中間部の外方中間部端部と、を備え、
前記中間部は、前記内方板と前記外方板とに囲まれる複数のセルを画定する複数の壁部を備えるセル格子を備え、
前記複数のセルの密度が前記フェースプレートの標的衝突領域に向かって低くなり、
前記内方板、前記外方板、および前記中間部は、少なくとも、チタン８−１−１材料又はチタン６−４材料の１つで構成されている、ゴルフクラブヘッド。
【請求項２】
前記複数のセルは、前記複数のセルのうちの最大セル幅を有する第１のセルを備え、
前記最大セル幅は、前記外方中間部端部に実質的に平行に測定され、
前記セル格子は、前記中間部の中間部中央領域に配置されており、
前記中間部中央領域は、前記セル格子を有していない前記中間部の中間部周縁領域によって画定され、
前記中間部周縁領域は、前記中間部の外側端から前記中間部中央領域までで測定され、少なくとも前記最大セル幅の２倍である中間部周縁幅を備える、請求項１に記載のゴルフクラブヘッド。
【請求項３】
前記複数のセルのうちの１つ以上のセルは、少なくとも六角形、ひし形、三角形、ルーローの三角形の少なくとも１つを備える、請求項１又は２に記載のゴルフクラブヘッド。
【請求項４】
前記複数のセルのうちの第１のセットのセルは、第１の幾何学形状を備え、
前記複数のセルのうちの第２のセットのセルは、前記第１の幾何学形状とは異なる第２の幾何学形状を備え、
前記複数のセルのうちの前記第１のセットのセルは、前記複数のセルのうちの前記第２のセットのセルと織り交ぜて配置されている、請求項１から３のいずれか一項に記載のゴルフクラブヘッド。
【請求項５】
前記セル格子は、前記複数のセルのうちの第１のセル内に１つ以上のサブセルを備え、
前記１つ以上のサブセルは、前記第１のセルの幾何学形状タイプと異なる幾何学形状タイプを有する、請求項１から４のいずれか一項に記載のゴルフクラブヘッド。
【請求項６】
前記セル格子は、アイソグリッドパターンの前記複数のセルを備える、請求項１から５のいずれか一項に記載のゴルフクラブヘッド。
【請求項７】
前記複数の壁部のうちの第１の壁部は、
前記外方中間部端部に実質的に平行に測定される壁部幅と、
前記外方中間部端部に実質的に垂直に測定される壁部厚さと、を備え、
前記壁部厚さは、前記内方中間部端部と前記外方中間部端部との間で変化する、請求項１から６のいずれか一項に記載のゴルフクラブヘッド。
【請求項８】
前記セル格子は、前記複数のセルの寸法が前記フェースプレートの標的衝突領域に向かって減少するパターンの前記複数のセルを備える、請求項１から７のいずれか一項に記載のゴルフクラブヘッド。
【請求項９】
ゴルフクラブヘッドであって、
内方板と、外方板と、前記内方板と前記外方板との間の中間部と、を備えるフェースプレートと、
前記フェースプレートの前記内方板に対して結合された前記中間部の内方中間部端部と、
前記フェースプレートの前記外方板に対して結合された前記中間部の外方中間部端部と、を備え、
前記中間部は、前記内方板と前記外方板とに囲まれる複数のセルを画定する複数の壁部を備えるセル格子を備え、
前記内方板は、内方結晶構造を備え、
前記外方板は、外方結晶構造を備え、
前記中間部は、中間結晶構造を備え、
前記内方結晶構造と前記中間結晶構造とは、βタイプ構造で共に結合され、
前記外方結晶構造と前記中間結晶構造とは、βタイプ構造で共に結合される、ゴルフクラブヘッド。
【請求項１０】
前記セル格子は、前記複数の壁部のうちの２つ以上が共に結合する複数のセル連接部を備え、
前記複数のセル連接部は、前記内方中間部端部から前記外方中間部端部まで延在する第１の連接部チャネルを備える、請求項９に記載のゴルフクラブヘッド。
【請求項１１】
前記第１の連接部チャネルは、約０．２ｍｍから約０．６６ｍｍの第１の連接部チャネル径を備える、請求項１０に記載のゴルフクラブヘッド。
【請求項１２】
前記複数のセルは、前記複数のセルのうちの最大セル幅を有する第１のセルを備え、
前記最大セル幅は、前記外方中間部端部に実質的に平行に測定され、
前記セル格子は、前記中間部の中間部中央領域に配置されており、
前記中間部中央領域は、前記セル格子を有していない前記中間部の中間部周縁領域によって画定され、
前記中間部周縁領域は、前記中間部の外側端から前記中間部中央領域までで測定され、少なくとも前記最大セル幅の２倍である中間部周縁幅を備える、請求項９から１１のいずれか一項に記載のゴルフクラブヘッド。
【請求項１３】
前記複数のセルのうちの１つ以上のセルは、少なくとも六角形、ひし形、三角形、ルーローの三角形の少なくとも１つを備える、請求項９から１２のいずれか一項に記載のゴルフクラブヘッド。
【請求項１４】
前記複数のセルのうちの第１のセットのセルは、第１の幾何学形状を備え、
前記複数のセルのうちの第２のセットのセルは、前記第１の幾何学形状とは異なる第２の幾何学形状を備え、
前記複数のセルのうちの前記第１のセットのセルは、前記複数のセルのうちの前記第２のセットのセルと織り交ぜて配置されている、請求項９から１３のいずれか一項に記載のゴルフクラブヘッド。
【請求項１５】
ゴルフクラブヘッドであって、
内方板と、外方板と、前記内方板と前記外方板との間の中間部と、を備えるフェースプレートと、
前記フェースプレートの前記内方板に対して結合された前記中間部の内方中間部端部と、
前記フェースプレートの前記外方板に対して結合された前記中間部の外方中間部端部と、を備え、
前記中間部は、前記内方板と前記外方板とに囲まれる複数のセルを画定する複数の壁部を備えるセル格子を備え、
前記複数の壁部のうちの第１の壁部は、前記複数のセルのうちの隣接し合うセル同士の間に横方向通路を備える、ゴルフクラブヘッド。
【請求項１６】
前記セル格子は、前記複数のセルのうちの第１のセル内に１つ以上のサブセルを備え、
前記１つ以上のサブセルは、前記第１のセルの幾何学形状タイプと異なる幾何学形状タイプを有する、請求項１５に記載のゴルフクラブヘッド。
【請求項１７】
前記セル格子は、アイソグリッドパターンの前記複数のセルを備える、請求項１５又は１６に記載のゴルフクラブヘッド。
【請求項１８】
前記複数の壁部のうちの第１の壁部は、
前記外方中間部端部に実質的に平行に測定される壁部幅と、
前記外方中間部端部に実質的に垂直に測定される壁部厚さと、を備え、
前記壁部厚さは、前記内方中間部端部と前記外方中間部端部との間で変化する、請求項１５から１７のいずれか一項に記載のゴルフクラブヘッド。
【請求項１９】
前記セル格子は、前記複数のセルの密度が前記フェースプレートの標的衝突領域に向かって減少するパターンの前記複数のセルを備える、請求項１５から１８のいずれか一項に記載のゴルフクラブヘッド。
【請求項２０】
ゴルフクラブヘッドであって、
内方板と、外方板と、前記内方板と前記外方板との間の中間部と、を備えるフェースプレートと、
前記フェースプレートの前記内方板に対して結合された前記中間部の内方中間部端部と、
前記フェースプレートの前記外方板に対して結合された前記中間部の外方中間部端部と、を備え、
前記中間部は、前記内方板と前記外方板とに囲まれる複数のセルを画定する複数の壁部を備えるセル格子を備え、
前記複数の壁部のうちの第１の壁部は、
前記外方中間部端部に実質的に平行に測定される壁部幅と、
前記外方中間部端部に実質的に垂直に測定される壁部厚さと、を備え、
前記壁部厚さは、前記内方中間部端部と前記外方中間部端部との間で変化し、
前記内方板、前記外方板、および前記中間部は、少なくとも、チタン８−１−１材料又はチタン６−４材料の１つで構成されている、ゴルフクラブヘッド。
【手続補正２】
【補正対象書類名】明細書
【補正対象項目名】００１８
【補正方法】変更
【補正の内容】
【００１８】
フェースプレート１００の各部分が、それぞれ異なる厚さを有することが可能である。本例においては、外方板１２０の厚さは、約０．０３インチ（約０．７６２ｍｍ）であり、中間部２３０の厚さは、約０．０７インチ（約１．７８ｍｍ）であり、内方板の厚さは、一定ではなく、中央部付近では約０．０５インチ（約１．２７ｍｍ）であり、周縁部付近では約０．０３インチ（約０．７６２ｍｍ）である。本例において、内方板２１０の厚さは、外方板１２０の厚さよりも大きく、内方板２１０は、フェースプレート１００の衝突表面から離れる方向に向くことにより、フェースプレート全体にわたって衝突応力をより良好に分配する。いくつかの例においては、内方板２１０および外方板１２０の厚さは、相互に実質的に同様であることが可能であり、および／または一定であってもよい。
【手続補正３】
【補正対象書類名】明細書
【補正対象項目名】００２１
【補正方法】変更
【補正の内容】
【００２１】
図３は、金属材料シートとして層３００の部分を示し、共に組み合わされた場合にセル格子２４０を形成するように構成された代表的な切欠部を有する中間部層３３０を示す。図４は、格子パターン３４１および位置合わせ要素３５１〜３５４を備える、中間部２３０の中間部層３３１の正面図を示す。格子パターン３４１は、切欠部３４２などの複数の切欠部を備え、これらは、壁部２４１の層部分と、セル格子２４０のセル２４２の容積の層部分と、を画定する。いくつかの例においては、セル格子２４０は、層３００（図３）を共に組み合わせる前に、中間部層３３０の各格子パターンの切欠部を機械加工することによっておよび／または化学エッチングすることによってなど、１つまたは複数の工程によって形成されてもよい。セル格子２４０あるいはその要素のうちの１つまたは複数の機械加工を伴う例においては、かかる機械加工は、コンピュータ数値制御（ＣＮＣ）機械加工、ウォータージェット切断、および／または放電加工によって等、１つまたは複数の技法を介して実施され得る。
【外国語明細書】
2018126521000001.pdf
2018126521000002.pdf
2018126521000003.pdf
2018126521000004.pdf